(57)【要約】本発明は通信の分野に関し、データ伝送システム、データ伝送方法、およびデータ集約方法および装置を提供する。システムは、ｅＮＢ、ＷＴ、ＷＬＡＮ  ＡＰ、およびユーザ装置を備える。ＷＴは、１対１の対応方法でｅＮＢに接続され、少なくとも１つのＷＬＡＮ  ＡＰに接続される。ユーザ装置はＬＴＥネットワークの手段によってＬＴＥデータパケットをターゲットｅＮＢに送信するように構成され、ターゲットｅＮＢはユーザ装置とのＲＲＣ接続を確立するｅＮＢである。ユーザ装置はＷＬＡＮ  ＡＰにＷＬＡＮデータパケットを送信するように構成され、ＷＬＡＮデータパケットはターゲットｅＮＢに接続されたターゲットＷＴのＭＡＣアドレスを含む。ＷＬＡＮ  ＡＰは、ターゲットＷＴのＭＡＣアドレスに従って、ＷＬＡＮデータパケットをターゲットＷＴに送信するように構成される。ターゲットＷＴは、ＷＬＡＮデータパケットをターゲットｅＮＢに送信するように構成される。ターゲットｅＮＢは、ＬＴＥデータパケットおよびＷＬＡＮデータパケットを集約するように構成される。【選択図】        図４Ａ
2019520007.tif 000002
【特許請求の範囲】
【請求項１】
進化型ノードＢ（ｅＮＢ）、無線ローカルエリアネットワーク終端（ＷＴ）、無線ローカルエリアネットワークアクセスポイント（ＷＬＡＮ  ＡＰ）、およびユーザ装置（ＵＥ）を備え、前記ＷＴは１対１の対応で前記ｅＮＢに接続され、前記ＷＬＡＮ  ＡＰは前記ＷＴのうちの少なくとも１つに接続される、データ伝送システムであって、
前記ユーザ装置は、ＬＴＥネットワークを介してターゲットｅＮＢにＬＴＥ（ｌｏｎｇ  ｔｅｒｍ  ｅｖｏｌｕｔｉｏｎ）データパケットを送信するように構成され、前記ターゲットｅＮＢは前記ユーザ装置とのＲＲＣ（ｒａｄｉｏ  ｒｅｓｏｕｒｃｅ  ｃｏｎｔｒｏｌ）接続を確立するｅＮＢであり、
前記ユーザ装置は、無線ローカルエリアネットワーク（ＷＬＡＮ）データパケットを前記ＷＬＡＮ  ＡＰに送信するように構成され、前記ＷＬＡＮデータパケットは前記ターゲットｅＮＢに接続されたターゲットＷＴのＭＡＣ（ｍｅｄｉｕｍ  ａｃｃｅｓｓ  ｃｏｎｔｒｏｌ）アドレスを含み、
前記ＷＬＡＮ  ＡＰは、前記ターゲットＷＴの前記ＭＡＣアドレスに従って、前記ＷＬＡＮデータパケットを前記ターゲットＷＴに送信するように構成され、
前記ターゲットＷＴは、前記ＷＬＡＮデータパケットを前記ターゲットｅＮＢに送信するように構成され、
前記ターゲットｅＮＢは、前記ＬＴＥデータパケットおよび前記ＷＬＡＮデータパケットを集約するように構成される、データ伝送システム。
【請求項２】
前記ターゲットｅＮＢは、前記ＲＲＣ接続を確立する前記ユーザ装置にＲＲＣシグナリングを送信するようにさらに構成され、前記ＲＲＣシグナリングは前記ターゲットＷＴのＭＡＣアドレスを含み、
前記ユーザ装置は、前記ターゲットＷＴの前記ＭＡＣアドレスを、前記ＷＬＡＮデータパケットに追加するようにさらに構成される、請求項１に記載のシステム。
【請求項３】
前記ＷＬＡＮデータパケットのＭＡＣヘッダは、８０２．１１データフレームのフレームヘッダフォーマットを採用し、前記ＭＡＣヘッダは前記ＷＬＡＮデータパケットの宛先アドレスを示すために使用されるアドレス３を備え、
前記ユーザ装置はさらに、前記ＲＲＣシグナリングに含まれる前記ターゲットＷＴの前記ＭＡＣアドレスを取得し、前記ＭＡＣヘッダ内の前記アドレス３を前記ターゲットＷＴの前記ＭＡＣアドレスとして設定するように構成される、請求項２に記載のシステム。
【請求項４】
データ伝送方法であって、
ユーザ装置（ＵＥ）によって、ＬＴＥ（ｌｏｎｇ  ｔｅｒｍ  ｅｖｏｌｕｔｉｏｎ）データパケットをＬＴＥネットワークを介してターゲット進化型ノードＢ（ｅＮＢ）に送信するステップであって、前記ターゲットｅＮＢは、前記ユーザ装置とのＬＴＥ接続を確立するｅＮＢであるステップと、
前記ユーザ装置によって、無線ローカルエリアネットワーク（ＷＬＡＮ）データパケットを無線ローカルエリアネットワークアクセスポイント（ＷＬＡＮ  ＡＰ）に送信するステップであって、前記ＷＬＡＮデータパケットは、前記ターゲットｅＮＢに接続されたターゲットＷＴのＭＡＣ（ｍｅｄｉｕｍ  ａｃｃｅｓｓ  ｃｏｎｔｒｏｌ）アドレスを含み、前記ＷＬＡＮ  ＡＰは、前記ターゲットＷＴの前記ＭＡＣアドレスに従って前記ＷＬＡＮデータパケットを前記ターゲットＷＴに送信するように構成され、前記ターゲットＷＴは前記ターゲットｅＮＢ  に前記ＷＬＡＮデータパケットを送信するように構成され、前記ターゲットｅＮＢは、前記ＬＴＥデータパケットおよび前記ＷＬＡＮデータパケットを集約するように構成されるステップと、を備えるデータ伝送方法。
【請求項５】
前記ユーザ装置によって、前記ターゲットｅＮＢによって送信されたＲＲＣシグナリングを受信するステップであって、前記ＲＲＣシグナリングは、前記ターゲットＷＴのＭＡＣアドレスを含むステップと、
前記ユーザ装置によって、前記ＲＲＣシグナリングに含まれる前記ターゲットＷＴの前記ＭＡＣアドレスを取得するステップと、
前記ユーザ装置によって、前記ターゲットＷＴの前記ＭＡＣアドレスを前記ＷＬＡＮデータパケットに追加するステップと、をさらに備える請求項４に記載の方法。
【請求項６】
前記ＷＬＡＮデータパケットのＭＡＣヘッダは、８０２．１１データフレームのフレームヘッダフォーマットを採用し、前記ＭＡＣヘッダは、前記ＷＬＡＮデータパケットの宛先アドレスを示すために使用されるアドレス３を備え、
前記ターゲットＷＴの前記ＭＡＣアドレスを前記ＷＬＡＮデータパケットに追加するステップは、
前記ユーザ装置によって、前記ＭＡＣヘッダの前記アドレス３を前記ターゲットＷＴの前記ＭＡＣアドレスとして設定するステップを備える、請求項５に記載の方法。
【請求項７】
データ集約方法であって、
進化型ノードＢ（ｅＮＢ）によって、ＬＴＥネットワークを介してユーザ装置（ＵＥ）によって送信されたＬＴＥ（ｌｏｎｇ  ｔｅｒｍ  ｅｖｏｌｕｔｉｏｎ）データパケットを受信するステップであって、前記ユーザ装置は、前記ｅＮＢとのＲＲＣ（ｒａｄｉｏ  ｒｅｓｏｕｒｃｅ  ｃｏｎｔｒｏｌ）接続を確立するステップと、
前記ｅＮＢによって、前記ｅＮＢに接続された無線ローカルエリアネットワーク終端（ＷＴ）によって送信された無線ローカルエリアネットワーク（ＷＬＡＮ）データパケットを受信するステップであって、前記ＷＬＡＮデータパケットは、前記ＷＴのＭＡＣ（ｍｅｄｉｕｍ  ａｃｃｅｓｓ  ｃｏｎｔｒｏｌ）アドレスを含み、前記ＭＡＣアドレスに従って前記ＷＴに接続された無線ローカルエリアネットワークアクセスポイント（ＷＬＡＮ  ＡＰ）によって前記ＷＴに送信されるステップと、
前記ｅＮＢによって、前記ＬＴＥデータパケットおよび前記ＷＬＡＮデータパケットを集約するステップと、を備えるデータ集約方法。
【請求項８】
前記ｅＮＢによって、ＲＲＣシグナリングを前記ユーザ装置に送信するステップであって、前記ＲＲＣシグナリングは前記ＷＴの前記ＭＡＣアドレスを備え、前記ユーザ装置は前記ＷＴの前記ＭＡＣアドレスとして前記ＷＬＡＮデータパケットのＭＡＣヘッダ内のアドレス３を設定するように構成され、前記アドレス３は前記ＷＬＡＮデータパケットの宛先アドレスを示すために使用され、前記ＭＡＣヘッダは８０２．１１データフレームのフレームヘッダフォーマットを採用するステップをさらに備える、請求項７に記載の方法。
【請求項９】
データ伝送装置であって、
ＬＴＥネットワークを介してターゲット進化型ノードＢ（ｅＮＢ）にＬＴＥ（ｌｏｎｇ  ｔｅｒｍ  ｅｖｏｌｕｔｉｏｎ）データパケットを送信するように構成された第１の送信モジュールであって、前記ターゲットｅＮＢは、ユーザ装置（ＵＥ）とのＲＲＣ（ｒａｄｉｏ  ｒｅｓｏｕｒｃｅ  ｃｏｎｔｒｏｌ）接続を確立するｅＮＢである第１の送信モジュールと、
無線ローカルエリアネットワーク（ＷＬＡＮ）データパケットを無線ローカルエリアネットワークアクセスポイント（ＷＬＡＮ  ＡＰ）に送信するように構成された第２の送信モジュールであって、前記ＷＬＡＮデータパケットは前記ターゲットｅＮＢに接続されたターゲット無線ローカルエリアネットワーク終端（ＷＴ）のＭＡＣ（ｍｅｄｉｕｍ  ａｃｃｅｓｓ  ｃｏｎｔｒｏｌ）アドレスを含み、前記ＷＬＡＮ  ＡＰは前記ターゲットＷＴの前記ＭＡＣアドレスに従って前記ＷＬＡＮデータパケットを前記ターゲットＷＴに送信するように構成され、前記ターゲットＷＴは前記ＷＬＡＮデータパケットを前記ターゲットｅＮＢに送信するように構成され、前記ターゲットｅＮＢは前記ＬＴＥデータパケットおよび前記ＷＬＡＮデータパケットを集約するように構成される第２の送信モジュールと、を備えるデータ伝送装置。
【請求項１０】
前記ターゲットｅＮＢによって送信されたＲＲＣシグナリングを受信するように構成されたシグナリング受信モジュールであって、前記ＲＲＣシグナリングは前記ターゲットＷＴの前記ＭＡＣアドレスを含むシグナリング受信モジュールと、
前記ＲＲＣシグナリングに含まれる前記ターゲットＷＴの前記ＭＡＣアドレスを取得するように構成された取得モジュールと、
前記ターゲットＷＴの前記ＭＡＣアドレスを前記ＷＬＡＮデータパケットに追加するように構成された追加モジュールと、をさらに備える請求項９に記載の装置。
【請求項１１】
前記ＷＬＡＮデータパケットのＭＡＣヘッダは８０２．１１データフレームのフレームヘッダフォーマットを採用し、前記ＭＡＣヘッダは、前記ＷＬＡＮデータパケットの宛先アドレスを示すために使用されるアドレス３を備え、
前記追加モジュールは、前記ＭＡＣヘッダ内の前記アドレス３を前記ターゲットＷＴの前記ＭＡＣアドレスとして設定するように構成される、請求項１０に記載の装置。
【請求項１２】
データ集約装置であって、
ＬＴＥネットワークを介してユーザ装置（ＵＥ）によって送信されたＬＴＥ（ｌｏｎｇ  ｔｅｒｍ  ｅｖｏｌｕｔｉｏｎ）データパケットを受信するように構成された第１の受信モジュールであって、前記ユーザ装置は、進化型ノードＢ（ｅＮＢ）とのＲＲＣ（ｒａｄｉｏ  ｒｅｓｏｕｒｃｅ  ｃｏｎｔｒｏｌ）接続を確立する第１の受信モジュールと、
前記ｅＮＢに接続された無線ローカルエリアネットワーク終端（ＷＴ）によって送信された無線ローカルエリアネットワーク（ＷＬＡＮ）データパケットを受信するように構成された第２の受信モジュールであって、前記ＷＬＡＮデータパケットは、前記ＷＴのＭＡＣ（ｍｅｄｉｕｍ  ａｃｃｅｓｓ  ｃｏｎｔｒｏｌ）アドレスを含み、前記ＭＡＣアドレスに従って前記ＷＴに接続された無線ローカルエリアネットワークアクセスポイント（ＷＬＡＮ  ＡＰ）によって前記ＷＴに送信される第２の受信モジュールと、
前記ＬＴＥデータパケットおよび前記ＷＬＡＮデータパケットを集約するように構成された集約モジュールと、を備えるデータ集約装置。
【請求項１３】
ＲＲＣシグナリングを前記ユーザ装置に送信するように構成されたシグナリング送信モジュールであって、前記ＲＲＣシグナリングは前記ＷＴの前記ＭＡＣアドレスを備え、前記ユーザ装置は前記ＷＬＡＮデータパケットのＭＡＣヘッダ内のアドレス３を前記ＷＴの前記ＭＡＣアドレスとして設定するように構成され、前記アドレス３は前記ＷＬＡＮデータパケットの宛先アドレスを示すために使用され、前記ＭＡＣヘッダは８０２．１１データフレームのフレームヘッダフォーマットを採用する、シグナリング送信モジュールをさらに備える、請求項１２に記載の装置。
【請求項１４】
ユーザ装置（ＵＥ）であって、
プロセッサと、
プロセッサによって実行可能な命令を記憶するためのメモリと、を備え、
前記プロセッサは、
ＬＴＥネットワークを介してターゲット進化型ノードＢ（ｅＮＢ）にＬＴＥ（ｌｏｎｇ  ｔｅｒｍ  ｅｖｏｌｕｔｉｏｎ）データパケットを送信し、前記ターゲットｅＮＢは前記ユーザ装置とのＬＴＥ接続を確立するｅＮＢであり、
無線ローカルエリアネットワーク（ＷＬＡＮ）データパケットを無線ローカルエリアネットワークアクセスポイント（ＷＬＡＮ  ＡＰ）に送信し、前記ＷＬＡＮデータパケットは前記ターゲットｅＮＢに接続されたターゲットＷＴのＭＡＣ（ｍｅｄｉｕｍ  ａｃｃｅｓｓ  ｃｏｎｔｒｏｌ）アドレスを含み、前記ＷＬＡＮ  ＡＰは前記ターゲットＷＴの前記ＭＡＣアドレスに従って前記ターゲットＷＴに前記ＷＬＡＮデータパケットを送信するように構成され、前記ターゲットＷＴは前記ターゲットｅＮＢに前記ＷＬＡＮデータパケットを送信するように構成され、前記ターゲットｅＮＢは前記ＬＴＥデータパケットおよび前記ＷＬＡＮデータパケットを集約するように構成される、ユーザ装置。
【請求項１５】
進化型ノードＢ（ｅＮＢ）であって、  
プロセッサと、
プロセッサによって実行可能な命令を記憶するためのメモリと、を備え、
前記プロセッサは、
ユーザ装置（ＵＥ）によってＬＴＥネットワークを介して送信されたＬＴＥ（ｌｏｎｇ  ｔｅｒｍ  ｅｖｏｌｕｔｉｏｎ）データパケットを受信し、前記ユーザ装置は、前記ｅＮＢとのＲＲＣ（ｒａｄｉｏ  ｒｅｓｏｕｒｃｅ  ｃｏｎｔｒｏｌ）接続を確立し、
前記ｅＮＢに接続された無線ローカルエリアネットワーク終端（ＷＴ）によって送信されたＷＬＡＮデータパケットを受信し、前記ＷＬＡＮデータパケットは、前記ＷＴのＭＡＣ（ｍｅｄｉｕｍ  ａｃｃｅｓｓ  ｃｏｎｔｒｏｌ）アドレスを含み、前記ＭＡＣアドレスに従って前記ＷＴに接続された無線ローカルエリアネットワークアクセスポイント（ＷＬＡＮ  ＡＰ）によって前記ＷＴに送信され、
前記ＬＴＥデータパケットおよび前記ＷＬＡＮデータパケットを集約するように構成される、進化型ノードＢ（ｅＮＢ）。
【発明の詳細な説明】
【技術分野】
【０００１】
本開示は通信の分野に関し、特に、データ伝送システム、データ伝送方法、データ集約方法および装置に関する。
【背景技術】
【０００２】
ＬＷＡ（ｌｏｎｇ  ｔｅｒｍ  ｅｖｏｌｕｔｉｏｎ-ｗｉｒｅｌｅｓｓ  ｌｏｃａｌ  ａｒｅａ  ｎｅｔｗｏｒｋ  Ａｇｇｒｅｇａｔｉｏｎｓ）は、ＬＴＥ（ｌｏｎｇ  ｔｅｒｍ  ｅｖｏｌｕｔｉｏｎ）ネットワークとＷＬＡＮ（ｗｉｒｅｌｅｓｓ  ｌｏｃａｌ  ａｒｅａ  ｎｅｔｗｏｒｋ）とを用いてデータを同時に送信する技術である。
【０００３】
ＬＷＡを用いてダウンリンクデータ伝送を行う場合、ｅＮＢ（ｅｖｏｌｕｔｉｏｎａｌ  Ｎｏｄｅ  Ｂ）はＬＴＥネットワークを通じてユーザ装置（ＵＥ）にダウンリンクデータの一部を伝送し、同時に、ユーザ装置のＭＡＣ（ｍｅｄｉｕｍ  ａｃｃｅｓｓ  ｃｏｎｔｒｏｌ）アドレスによって残りのダウンリンクデータをＷＬＡＮを通じてユーザ装置に伝送する。次いで、ユーザ装置はデータのダウンリンク送信を実装するために、受信されたデータの２つの部分を集約する。
【発明の概要】
【課題を解決するための手段】
【０００４】
本開示は、データ伝送システム、データ伝送方法、データ集約方法および装置を提供する。技術的解決策は以下の通りである。
【０００５】
第１の態様では進化型ノードＢ（ｅＮＢ）、無線ローカルエリアネットワーク終端（ＷＴ）、無線ローカルエリアネットワークアクセスポイント（ＷＬＡＮ  ＡＰ）、およびユーザ装置（ＵＥ）を備えるデータ伝送システムが提供され、ＷＴは１対１の対応でｅＮＢに接続され、ＷＬＡＮ  ＡＰはＷＴのうちの少なくとも１つに接続される。
【０００６】
ユーザ装置はＬＴＥネットワークを介してターゲットｅＮＢにＬＴＥ（ｌｏｎｇ  ｔｅｒｍ  ｅｖｏｌｕｔｉｏｎ）データパケットを送信するように構成され、ターゲットｅＮＢはユーザ装置とのＲＲＣ（ｒａｄｉｏ  ｒｅｓｏｕｒｃｅ  ｃｏｎｔｒｏｌ）接続を確立するｅＮＢである。
【０００７】
ユーザ装置は無線ローカルエリアネットワーク（ＷＬＡＮ）データパケットをＷＬＡＮ  ＡＰに送信するように構成され、ＷＬＡＮデータパケットはターゲットｅＮＢに接続されたターゲットＷＴのＭＡＣアドレスを含む。
【０００８】
ＷＬＡＮ  ＡＰは、ターゲットＷＴのＭＡＣアドレスに従って、ＷＬＡＮデータパケットをターゲットＷＴに送信するように構成される。
【０００９】
ターゲットＷＴは、ＷＬＡＮデータパケットをターゲットｅＮＢに送信するように構成される。
【００１０】
ターゲットｅＮＢは、ＬＴＥデータパケットおよびＷＬＡＮデータパケットを集約するように構成される。
【００１１】
任意選択的に、ターゲットｅＮＢはＲＲＣ接続を確立するユーザ装置にＲＲＣシグナリングを送信するようにさらに構成され、ＲＲＣシグナリングはターゲットＷＴのＭＡＣアドレスを含む。
【００１２】
ユーザ装置はさらに、ターゲットＷＴのＭＡＣアドレスをＷＬＡＮデータパケットに追加するように構成される。
【００１３】
任意選択的に、ＷＬＡＮデータパケットのＭＡＣヘッダは８０２．１１データフレームのフレームヘッダフォーマットを採用し、ＭＡＣヘッダは、ＷＬＡＮデータパケットの宛先アドレスを示すために使用されるアドレス３を含む。
【００１４】
ユーザ装置はさらに、ＲＲＣシグナリングに含まれるターゲットＷＴのＭＡＣアドレスを取得し、ＭＡＣヘッダ内のアドレス３をターゲットＷＴのＭＡＣアドレスとして設定するように構成される。
【００１５】
第２の態様では、データ伝送方法が提供される。
【００１６】
前記方法は、ユーザ装置（ＵＥ）によって、ＬＴＥネットワークを介して、ＬＴＥデータパケットをターゲットｅＮＢに送信するステップを含み、ターゲットｅＮＢ  は、ユーザ装置とのＬＴＥ接続を確立するｅＮＢである。
【００１７】
前記方法は、ユーザ装置によって、無線ローカルエリアネットワーク（ＷＬＡＮ）データパケットを無線ローカルエリアネットワークアクセスポイント（ＷＬＡＮ  ＡＰ）に送信するステップを含み、ＷＬＡＮデータパケットはターゲットｅＮＢに接続されるターゲットＷＴの  ＭＡＣアドレスを含み、ＷＬＡＮ  ＡＰはターゲットＷＴのＭＡＣアドレスに従ってターゲットＷＴにＷＬＡＮデータパケットを送信するように構成され、ターゲットＷＴはＷＬＡＮデータパケットをターゲットｅＮＢに送信するように構成され、ターゲットｅＮＢはＬＴＥデータパケットおよびＷＬＡＮデータパケットを集約するように構成される。
【００１８】
任意選択的に、方法は、以下のステップをさらに含む。
【００１９】
ユーザ装置によって、ターゲットｅＮＢによって送信されたＲＲＣシグナリングを受信し、ＲＲＣシグナリングは、ターゲットＷＴのＭＡＣアドレスを含む。
【００２０】
ユーザ装置によって、ＲＲＣシグナリングに含まれるターゲットＷＴのＭＡＣアドレスを取得する。
【００２１】
ユーザ装置によって、ターゲットＷＴのＭＡＣアドレスをＷＬＡＮデータパケットに追加する。
【００２２】
任意選択的に、ＷＬＡＮデータパケットのＭＡＣヘッダは８０２．１１データフレームのフレームヘッダフォーマットを採用し、ＭＡＣヘッダは、ＷＬＡＮデータパケットの宛先アドレスを示すために使用されるアドレス３を含む。
【００２３】
ターゲットＷＴのＭＡＣアドレスをＷＬＡＮデータパケットに追加することは、以下を含む。
【００２４】
ユーザ装置によって、ＭＡＣヘッダ内のアドレス３をターゲットＷＴのＭＡＣアドレスとして設定する。
【００２５】
第３の態様では、データ集約方法が提供される。
【００２６】
前記方法は、ＬＴＥネットワークを介してユーザ装置（ＵＥ）によって送信されたＬＴＥ（ｌｏｎｇ  ｔｅｒｍ  ｅｖｏｌｕｔｉｏｎ）データパケットをｅＮＢ（ｅｖｏｌｕｔｉｏｎａｌ  Ｎｏｄｅ  Ｂ）によって受信するステップを含み、ユーザ装置は、ｅＮＢとのＲＲＣ（ｒａｄｉｏ  ｒｅｓｏｕｒｃｅ  ｃｏｎｔｒｏｌ）接続を確立する。
【００２７】
前記方法は、ｅＮＢによって、ｅＮＢに接続された無線ローカルエリアネットワーク終端（ＷＴ）によって送信された無線ローカルエリアネットワーク（ＷＬＡＮ）データパケットを受信するステップを含み、ＷＬＡＮデータパケットは、ＷＴのＭＡＣアドレスを含み、ＭＡＣアドレスに従ってＷＴに接続された無線ローカルエリアネットワークアクセスポイント（ＷＬＡＮ  ＡＰ）によってＷＴに送信される。
【００２８】
前記方法は、ｅＮＢによってＬＴＥデータパケットおよびＷＬＡＮデータパケットを集約するステップを含む。
【００２９】
任意選択的に、方法は、以下のステップをさらに含む。
【００３０】
ｅＮＢによって、ＲＲＣシグナリングをユーザ装置に送信し、ＲＲＣシグナリングはＷＴのＭＡＣアドレスを備え、ユーザ装置はＷＴのＭＡＣアドレスとしてＷＬＡＮデータパケットのＭＡＣヘッダ内のアドレス３を設定するように構成され、アドレス３はＷＬＡＮデータパケットの宛先アドレスを示すために使用され、ＭＡＣヘッダは８０２．１１データフレームのフレームヘッダフォーマットを採用する。
【００３１】
第４の態様では、データ伝送装置が提供される。
【００３２】
前記装置は、ＬＴＥネットワークを介してターゲットｅＮＢ（ｅｖｏｌｕｔｉｏｎａｌ  Ｎｏｄｅ  Ｂ）にＬＴＥ（ｌｏｎｇ  ｔｅｒｍ  ｅｖｏｌｕｔｉｏｎ）データパケットを送信するように構成された第１の送信モジュールを備え、ターゲットｅＮＢは、ユーザ装置（ＵＥ）とのＲＲＣ（ｒａｄｉｏ  ｒｅｓｏｕｒｃｅ  ｃｏｎｔｒｏｌ）接続を確立するｅＮＢである。
【００３３】
前記装置は、無線ローカルエリアネットワーク（ＷＬＡＮ）データパケットを無線ローカルエリアネットワークアクセスポイント（ＷＬＡＮ  ＡＰ）に送信するように構成された第２の送信モジュールを備え、ＷＬＡＮデータパケットはターゲットｅＮＢに接続されたターゲットＷＴ（ｗｉｒｅｌｅｓｓ  ｌｏｃａｌ  ａｒｅａ  ｎｅｔｗｏｒｋ  ｔｅｒｍｉｎａｔｉｏｎ）の  ＭＡＣ  （ｍｅｄｉｕｍ  ａｃｃｅｓｓ  ｃｏｎｔｒｏｌ）アドレスを含み、ＷＬＡＮ  ＡＰはターゲットＷＴのＭＡＣアドレスに従ってＷＬＡＮデータパケットをターゲットＷＴに送信するように構成され、ターゲットＷＴはＷＬＡＮデータパケットをターゲットｅＮＢに送信するように構成され、ターゲットｅＮＢはＬＴＥデータパケットおよびＷＬＡＮデータパケットを集約するように構成される。
【００３４】
任意選択的に、装置はさらに以下を含む。
【００３５】
ターゲットｅＮＢによって送信されたＲＲＣシグナリングを受信するように構成されたシグナリング受信モジュールであって、ＲＲＣシグナリングはターゲットＷＴのＭＡＣアドレスを含むシグナリング受信モジュール。
【００３６】
ＲＲＣシグナリングに含まれるターゲットＷＴのＭＡＣアドレスを取得するように構成された取得モジュール。
【００３７】
ターゲットＷＴのＭＡＣアドレスをＷＬＡＮデータパケットに追加するように構成された追加モジュール。
【００３８】
任意選択的に、ＷＬＡＮデータパケットのＭＡＣヘッダは８０２．１１データフレームのフレームヘッダフォーマットを採用し、ＭＡＣヘッダは、ＷＬＡＮデータパケットの宛先アドレスを示すために使用されるアドレス３を含む。
【００３９】
追加モジュールは、ＭＡＣヘッダ内のアドレス３をターゲットＷＴのＭＡＣアドレスとして設定するように構成される。
【００４０】
第５の態様において、データ集約装置が提供される。
【００４１】
前記装置は、ＬＴＥネットワークを介してユーザ装置（ＵＥ）によって送信されたＬＴＥ（ｌｏｎｇ  ｔｅｒｍ  ｅｖｏｌｕｔｉｏｎ）データパケットを受信するように構成された第１の受信モジュールを備え、ユーザ装置は、ｅＮＢ（ｅｖｏｌｕｔｉｏｎａｌ  Ｎｏｄｅ  Ｂ）とのＲＲＣ（ｒａｄｉｏ  ｒｅｓｏｕｒｃｅ  ｃｏｎｔｒｏｌ）接続を確立する。
【００４２】
前記装置は、ｅＮＢに接続された無線ローカルエリアネットワーク終端（ＷＴ）によって送信された無線ローカルエリアネットワーク（ＷＬＡＮ）データパケットを受信するように構成された第２の受信モジュールを備え、ＷＬＡＮデータパケットはＷＴのＭＡＣアドレスを含み、ＭＡＣアドレスに従ってＷＴに接続された無線ローカルエリアネットワークアクセスポイント（ＷＬＡＮ  ＡＰ）によってＷＴに送信される。
【００４３】
前記装置は、ＬＴＥデータパケットおよびＷＬＡＮデータパケットを集約するように構成された集約モジュールを備える。
【００４４】
任意選択的に、装置はさらに以下を含む。
【００４５】
ＲＲＣシグナリングをユーザ装置に送信するように構成されたシグナリング送信モジュールであって、ＲＲＣシグナリングはＷＴのＭＡＣアドレスを備え、ユーザ装置はＷＬＡＮデータパケットのＭＡＣヘッダ内のアドレス３をＷＴのＭＡＣアドレスとして設定するように構成され、アドレス３はＷＬＡＮデータパケットの宛先アドレスを示すために使用され、ＭＡＣヘッダは８０２．１１データフレームのフレームヘッダフォーマットを採用する、シグナリング送信モジュール。
【００４６】
第６の態様において、ユーザ装置（ＵＥ）が提供される。
【００４７】
前記ユーザ装置は、プロセッサを備える。
【００４８】
前記ユーザ装置は、プロセッサによって実行可能な命令を記憶するためのメモリを備える。
【００４９】
ここで、プロセッサは、以下のように構成される：
【００５０】
ＬＴＥネットワークを介してターゲットｅＮＢにＬＴＥ（ｌｏｎｇ  ｔｅｒｍ  ｅｖｏｌｕｔｉｏｎ）データパケットを送信し、ターゲットｅＮＢはユーザ装置とのＬＴＥ接続を確立するｅＮＢである。
【００５１】
無線ローカルエリアネットワーク（ＷＬＡＮ）データパケットを無線ローカルエリアネットワークアクセスポイント（ＷＬＡＮ  ＡＰ）に送信し、ＷＬＡＮデータパケットはターゲットｅＮＢに接続されたターゲットＷＴのＭＡＣアドレスを含み、ＷＬＡＮ  ＡＰはターゲットＷＴのＭＡＣアドレスに従ってターゲットＷＴにＷＬＡＮデータパケットを送信するように構成され、ターゲットＷＴはターゲットｅＮＢにＷＬＡＮデータパケットを送信するように構成され、ターゲットｅＮＢはＬＴＥデータパケットおよびＷＬＡＮデータパケットを集約するように構成される。
【００５２】
第７の態様において、ｅＮＢ（ｅｖｏｌｕｔｉｏｎａｌ  Ｎｏｄｅ  Ｂ）が提供される。
【００５３】
前記ｅＮＢは、プロセッサを備える。
【００５４】
前記ｅＮＢは、プロセッサによって実行可能な命令を記憶するためのメモリを備える。
【００５５】
ここで、プロセッサは、以下のように構成される。
【００５６】
ユーザ装置（ＵＥ）によってＬＴＥネットワークを介して送信されたＬＴＥ（ｌｏｎｇ  ｔｅｒｍ  ｅｖｏｌｕｔｉｏｎ）データパケットを受信し、ユーザ装置は、ｅＮＢとのＲＲＣ（ｒａｄｉｏ  ｒｅｓｏｕｒｃｅ  ｃｏｎｔｒｏｌ）接続を確立する。
【００５７】
ｅＮＢに接続された無線ローカルエリアネットワーク終端（ＷＴ）によって送信されたＷＬＡＮデータパケットを受信し、ＷＬＡＮデータパケットは、ＷＴのＭＡＣアドレスを含み、ＭＡＣアドレスに従ってＷＴに接続された無線ローカルエリアネットワークアクセスポイント（ＷＬＡＮ  ＡＰ）によってＷＴに送信される。
【００５８】
ＬＴＥデータパケットおよびＷＬＡＮデータパケットを集約する。
【００５９】
本開示によって提供される技術的解決策は、以下の有利な利点を含むことができる。
ターゲットｅＮＢに接続されたターゲットＷＴのＭＡＣアドレスをＷＬＡＮデータパケットに追加することによって、ＷＬＡＮ  ＡＰは、ユーザ装置によって送信されたＷＬＡＮデータパケットを受信した後、ＭＡＣアドレスに従ってＭＡＣデータパケットをターゲットＷＴに転送することができる。最終的に、ターゲットＷＴはＷＬＡＮデータパケットをターゲットｅＮＢに送信し、それによってＷＬＡＮデータパケットのアップリンク送信を達成し、ＷＬＡＮ  ＡＰが複数のＷＴに接続される場合、ＷＬＡＮ  ＡＰは、ユーザ装置によって送信されたＷＬＡＮデータパケットを受信した後にＷＬＡＮデータパケットをターゲットＷＴに正確に転送することができないため、ＷＬＡＮデータパケットをターゲットｅＮＢに送信することができないという問題を解決する。ＷＬＡＮ  ＡＰが複数のＷＴに接続される場合、ＷＬＡＮ  ＡＰはＷＬＡＮデータパケット内のターゲットＷＴのＭＡＣアドレスに従ってＷＬＡＮデータパケットをターゲットＷＴに転送することができ、それによって、ＷＬＡＮデータパケットがターゲットｅＮＢに送信されることを保証し、ＷＬＡＮデータパケットのアップリンク送信の精度を改善する。
【００６０】
前述の一般的な説明および以下の詳細な説明の両方は単に例示的および説明的なものであり、本開示を限定するものではないことを理解されたい。
【図面の簡単な説明】
【００６１】
本明細書に組み込まれ、その一部を構成する添付の図面は本開示と一致する実施形態を図示し、説明と共に、本開示の原理を説明するのに役立つ。
【００６２】
【図１】本開示の例示的な実施形態によって提供されるデータ伝送システムの構造の模式図である。
【００６３】
【図２】本開示の例示的な実施形態によって提供されるｅＮＢ１１０の構造の模式図を示したものである。
【００６４】
【図３】本開示の例示的な実施形態によって提供されるユーザ装置１４０の構造の模式図を示している。
【００６５】
【図４Ａ】本開示の例示的な実施形態によって提供されるデータ伝送方法のフローチャートを示す。
【００６６】
【図４Ｂ】本開示の別の例示的な実施形態によって提供されるデータ伝達方法のフローチャートを示す。
【００６７】
【図５Ａ】本開示の例示的な実施形態によって提供されるデータ伝送方法のフローチャートを示す。
【００６８】
【図５Ｂ】本開示の別の例示的な実施形態によって提供されるデータ伝送方法のフローチャートを示す。
【００６９】
【図６Ａ】本開示の例示的な実施形態によって提供されるデータ集約方法のフローチャートを示す。
【００７０】
【図６Ｂ】本開示の別の例示的な実施形態によって提供されるデータ集約方法のフローチャートを示す。
【００７１】
【図７】本開示の例示的な実施形態によって提供されるデータ伝送装置の構造を示すブロック図である。
【００７２】
【図８】本開示の例示的な実施形態によって提供されるデータ集約装置の構造を示すブロック図である。
【発明を実施するための形態】
【００７３】
ここで、例示的な実施形態を詳細に参照し、その例を添付の図面に示す。以下の説明は添付の図面を参照し、異なる図面における同じ番号は特に表さない限り、同じまたは類似の要素を表す。例示的な実施形態の以下の説明で説明される実装形態は、本開示と一致するすべての実装形態を表すわけではない。むしろ、これらは、添付の特許請求の範囲に列挙されるような、本発明に関連する態様と一致する装置および方法の単なる例である。
【００７４】
ここで言う「ユニット」は、メモリーに格納され、特定の機能を実現することができるプログラムまたは命令を意味する。ここでいう「モジュール」は、論理的に分割された機能構成を意味する。「モジュール」は、純粋なハードウェアまたはハードウェアとソフトウェアの組み合わせによって実装することができる。
【００７５】
本明細書で言及される「複数」は、２つ以上を意味する。「および／または」は関連付けられたオブジェクト間の関連付け関係を記述し、３つの関係が存在し得ることを示す。例えば、Ａおよび／またはＢはＡが別々に存在し、ＡおよびＢが同時に存在し、Ｂが別々に存在する３つのケースがあることを示すことができる。文字「／」は一般に、前後のオブジェクト間に「ｏｒ」関係が存在することを示す。
【００７６】
理解を容易にするために、本開示の実施形態に含まれる用語を以下に説明する。
【００７７】
ｅＮＢは、ＬＴＥにおける進化型ノードＢを指す。ＬＷＡシステムでは、コアネットワークによって送信されたデータを受信するとき、ユーザ装置とコアネットワークとの間のブリッジとして機能するｅＮＢは、データの一部をＬＴＥネットワークを介してユーザ装置に送信し、残りのデータをＷＬＡＮネットワークを介してユーザ装置に送信する役割を果たす。ユーザ装置はコアネットワークからのデータのダウンリンク送信を実施するために、受信されたデータを集約する。ＬＴＥネットワークおよびＷＬＡＮネットワークを介してユーザ装置によって送信されたデータを受信する場合、ｅＮＢは受信されたデータを集約し、集約されたデータをコアネットワークに送信し、それによって、アップリンクデータをコアネットワークにアップロードする役割を果たす。
【００７８】
ＲＲＣ接続、すなわち、無線リソース制御接続（ｒａｄｉｏ  ｒｅｓｏｕｒｃｅ  ｃｏｎｔｒｏｌ  ｃｏｎｎｅｃｔｉｏｎ）は、ｅＮＢとユーザ装置との間に確立された接続を指す。ＲＲＣ接続を介して、ｅＮＢは、システム情報ブロードキャスト、ページング、および接続されたユーザ装置へのシグナリング送信などの機能を実装することができる。
【００７９】
ＷＴは、ＷＬＡＮ終端を指す。ＬＷＡシステムでは、ＷＴが１対１の対応でｅＮＢに接続され、一般に一緒に固定される。ＷＴは、複数のＷＬＡＮ  ＡＰに同時に接続されてもよく、ＷＴに接続されたＷＬＡＮ  ＡＰの各々を監視および管理する役割を果たす。ＬＷＡシステムでは、ｅＮＢがＷＬＡＮネットワークを介してＷＬＡＮデータパケットをユーザ装置にダウンリンク送信し、またはＷＬＡＮネットワークを介してユーザ装置によってアップリンク送信されたＷＬＡＮデータパケットを受信する。各ＷＬＡＮデータパケットは、ｅＮＢに接続されたＷＴを通過する。
【００８０】
図１は、本発明の実施形態によって提供されるデータ伝送システムの構成を示す概略図である。データ伝送システムは、ｅＮＢ  １１０、ＷＴ  １２０、ＷＬＡＮ  ＡＰ  １３０、ユーザ装置  １４０で構成されている。
【００８１】
ｅＮＢ１１０は、ＬＴＥにおける進化型ノードＢである。ｅＮＢ１１０はダウンリンクＷＬＡＮデータを送信し、ダウンリンクＬＴＥデータを送信し、アップリンクＷＬＡＮデータを受信し、アップリンクＬＴＥデータを受信する機能を有する。さらに、ｅＮＢ１１０はコアネットワークからのデータをＬＴＥデータおよびＷＬＡＮデータにカプセル化し、ＬＴＥデータおよびＷＬＡＮデータをユーザ装置にダウンリンク送信することができる。ｅＮＢ１１０はまた、受信されたアップリンクＷＬＡＮデータおよびＬＴＥデータを集約し、集約されたデータをコアネットワークに送信することができる。実際のネットワーキングでは、ｅＮＢ１１０の特定の実装形態がマクロ基地局、マイクロ基地局、ピコ基地局、リピータなどとすることができる。ｅＮＢ１１０の特定の数および特定の位置は、本開示の実施形態では限定されない。
【００８２】
ｅＮＢ１１０は、ＷＴ１２０と１対１で接続されている。一般に、ｅＮＢ１１０とＷＴ１２０とは、互いに固定されてもよいし、光ファイバを介して接続されてもよい。図１に示すように、ｅＮＢ１１１は対応してＷＴ１２１に接続され、ｅＮＢ１１２は対応してＷＴ１２２に接続される。
【００８３】
ＷＴ１２０はダウンリンクＷＬＡＮデータを送信し、アップリンクＷＬＡＮデータを受信する機能を有する。ＷＴ１２０は複数のＷＬＡＮ  ＡＰ１３０に同時に接続されてもよく、各ＷＬＡＮ  ＡＰ１３０によってアップリンク送信されたデータを受信し、またはＷＴ１２０に接続されたＷＬＡＮ  ＡＰ１３０にダウンリンクデータを送信するように構成されてもよい。図１において、ＷＴ１２１はＷＬＡＮ  ＡＰ１３１、ＷＬＡＮ  ＡＰ１３２、およびＷＬＡＮ  ＡＰ１３３に接続され、ＷＴ１２２はＷＬＡＮ  ＡＰ１３２、ＷＬＡＮ  ＡＰ１３３、およびＷＬＡＮ  ＡＰ１３４に接続される。ＷＴ１２０に接続されるＷＬＡＮ  ＡＰ１３０の数は、本開示の実施形態では限定されない。
【００８４】
ＷＬＡＮ  ＡＰ１３０はアップリンクＷＬＡＮデータを受信し、ダウンリンクＷＬＡＮデータを送信する機能を有する。実際のネットワーキングでは、ＷＬＡＮ  ＡＰ１３０が無線ルータまたは無線ゲートウェイなどの電子デバイスとすることができる。ＷＬＡＮ  ＡＰ１３０は、複数のＷＴ１２０に同時に接続されてもよい。図１において、ＷＬＡＮ  ＡＰ１３２はＷＴ１２１およびＷＴ１２２に同時に接続され、ＷＬＡＮ  ＡＰ１３３はＷＴ１２１およびＷＴ１２２に同時に接続される。
【００８５】
ユーザ装置１４０はアップリンクデータを送信し、ダウンリンクデータを受信する機能を有する。また、ユーザ装置１４０は、ＬＷＡ機能も有する。すなわち、受信されたダウンリンクデータにＷＬＡＮデータ及びＬＴＥデータが含まれている場合、ユーザ装置１４０は、ＷＬＡＮデータ及びＬＴＥデータを集約することができる。実際のネットワーキングでは、端末装置１４０の具体的な実装形態が携帯電話、タブレットコンピュータ、スマート家電、スマートデバイス、物のインターネットデバイス、車両のインターネットなどであってもよい。ユーザ装置１４０の特定の数および特定の位置は、本開示の実施形態では限定されない。
【００８６】
図２は、例示的な実施形態によって提供されるｅＮＢ１１０の構造を示す概略図である。ｅＮＢ１１０は、プロセッサ２１と、メモリ２２と、送信機２３と、受信機２４とを備える。
【００８７】
プロセッサ２１はメモリ２２に接続されている。
【００８８】
プロセッサ２１は１つ以上のプロセッシングコアを備え、ソフトウェアプログラムやユニットを動作させることにより、各種機能アプリケーションや情報処理を実行するように構成されている。
【００８９】
メモリ２２は、ソフトウェアプログラム及びユニットを記憶するように構成されてもよい。メモリ２２は、オペレーティング・システム２４と、少なくとも１つの機能に必要なアプリケーション・プログラム・ユニット２５とを記憶することができる。
【００９０】
アプリケーションプログラムユニット２５は、第１受信ユニット、第２受信ユニット、及び集約ユニットを含むことができる。第１の受信ユニットは、ＬＴＥネットワークを介してユーザ装置によって送信されたＬＴＥデータパケットを受信するように構成される。ユーザ装置は、ｅＮＢとのＲＲＣ接続を確立する。第２の受信ユニットは  ｅＮＢ１１０に接続されたＷＴによって送信されたＷＬＡＮデータパケットを受信するように構成され、ＷＬＡＮデータパケットはＷＴのＭＡＣアドレスを含む。ＷＬＡＮデータパケットは、ＭＡＣアドレスに従ってＷＴに接続されたＷＬＡＮ  ＡＰによってＷＴに送信される。集約ユニットは、ＬＴＥデータパケットおよびＷＬＡＮデータパケットを集約するように構成される。
【００９１】
さらに、メモリ２２は、  ＳＲＡＭ（ｓｔａｔｉｃ  ｒａｎｄｏｍ  ａｃｃｅｓｓ  ｍｅｍｏｒｙ）、  ＥＥＰＲＯＭ（ｅｌｅｃｔｒｉｃａｌｌｙ  ｅｒａｓａｂｌｅ  ｐｒｏｇｒａｍｍａｂｌｅ  ｒｅａｄ  ｏｎｌｙ  ｍｅｍｏｒｙ）、  ＥＰＲＯＭ（ｅｒａｓａｂｌｅ  ｐｒｏｇｒａｍｍａｂｌｅ  ｒｅａｄ  ｏｎｌｙ  ｍｅｍｏｒｙ）、ＰＲＯＭ（ｐｒｏｇｒａｍｍａｂｌｅ  ｒｅａｄ  ｏｎｌｙ  ｍｅｍｏｒｙ）、ＲＯＭ（ｒｅａｄ  ｏｎｌｙ  ｍｅｍｏｒｙ）、磁気メモリ、フラッシュメモリ、磁気ディスク、または光ディスク、またはそれらの組合せなどの任意のタイプの揮発性または不揮発性メモリデバイスによって実装され得る。
【００９２】
送信機２３は、モデム部と、ＭＩＭＯ（ｍｕｌｔｉｐｌｅ  ｉｎｐｕｔ  ｍｕｌｔｉｐｌｅ  ｏｕｔｐｕｔ）アンテナとを備える。ＭＩＭＯアンテナは、マルチアンテナポート送受信をサポートするアンテナである。任意選択的に、ＭＩＭＯアンテナは、少なくとも２つの送信アンテナを備える。任意選択的に、送信機２３は、データおよびシグナリング送信を実装するために使用される。
【００９３】
受信機２６は、送信機２３と同一または類似の構造を有する。任意選択的に、受信機２６はモデムユニットおよびＭＩＭＯアンテナを備え、ＭＩＭＯアンテナは少なくとも２つの受信アンテナを備える。
【００９４】
当業者は、図２に示されるｅＮＢ１１０の構造がｅＮＢ１１０に対する限定を構成せず、より多くのまたはより少ないコンポーネント、または特定のコンポーネントの組み合わせ、または異なるコンポーネント配置を含み得ることを理解し得る。
【００９５】
図３は、例示的な実施形態によって提供されるユーザ装置１４０の構造の概略図を示す。ユーザ装置１４０は、プロセッサ３１と、メモリ３２と、受信機３３と、送信機３４とを備える。
【００９６】
プロセッサ３１はメモリ３２に接続されている。
【００９７】
プロセッサ３１は１つ以上のプロセッシングコアを備え、ソフトウェアプログラムやユニットを動作させることにより、各種機能アプリケーションや情報処理を実行するように構成されている。
【００９８】
メモリ３２は、ソフトウェアプログラムおよびユニットを記憶するように構成されてもよい。メモリ３２は、オペレーティングシステム３５と、少なくとも１つの機能に必要なアプリケーションプログラムユニット３６とを記憶することもできる。
【００９９】
アプリケーションプログラムユニット３６は、第１の送信ユニットおよび第２の送信ユニットを備えることができる。第１の送信ユニットは、ＬＴＥネットワークを介してＬＴＥデータパケットをターゲットｅＮＢに送信するように構成される。ターゲットｅＮＢは、ユーザ装置とのＬＴＥ接続を確立するｅＮＢである。第２の送信ユニットはＷＬＡＮ  ＡＰにＷＬＡＮデータパケットを送信するように構成され、ＷＬＡＮデータパケットはターゲットｅＮＢに接続されたターゲットＷＴのＭＡＣアドレスを含む。ＷＬＡＮ  ＡＰは、ターゲットＷＴのＭＡＣアドレスに従って、ＷＬＡＮデータパケットをターゲットＷＴに送信するように構成される。ターゲットＷＴは、ＷＬＡＮデータパケットをターゲットｅＮＢに送信するように構成される。ターゲットｅＮＢは、ＬＴＥデータパケットおよびＷＬＡＮデータパケットを集約するように構成される。
【０１００】
さらに、メモリ３２は、ＳＲＡＭ（ｓｔａｔｉｃ  ｒａｎｄｏｍ  ａｃｃｅｓｓ  ｍｅｍｏｒｙ）、ＥＥＰＲＯＭ（ｅｌｅｃｔｒｉｃａｌｌｙ  ｅｒａｓａｂｌｅ  ｐｒｏｇｒａｍｍａｂｌｅ  ｒｅａｄ  ｏｎｌｙ  ｍｅｍｏｒｙ）、  ＥＰＲＯＭ（ｅｒａｓａｂｌｅ  ｐｒｏｇｒａｍｍａｂｌｅ  ｒｅａｄ  ｏｎｌｙ  ｍｅｍｏｒｙ）、ＰＲＯＭ（ｐｒｏｇｒａｍｍａｂｌｅ  ｒｅａｄ  ｏｎｌｙ  ｍｅｍｏｒｙ）、ＲＯＭ（ｒｅａｄ  ｏｎｌｙ  ｍｅｍｏｒｙ）、磁気メモリ、フラッシュメモリ、磁気ディスク、または光ディスク、またはそれらの組合せなどの任意のタイプの揮発性または不揮発性メモリデバイスによって実装することができる。
【０１０１】
受信機３３はモデムユニットとＭＩＭＯアンテナとを備え、ＭＩＭＯアンテナは複数のアンテナポートを介して送受信をサポートするアンテナである。任意選択的に、ＭＩＭＯアンテナは、少なくとも２つの受信アンテナを備える。任意選択的に、受信機３３は、基準信号の変調-復調および受信を実施するように構成される。
【０１０２】
送信機３６は、受信機３３と同一または類似の構造を有する。任意選択的に、送信機３６は、モデムユニットおよびＭＩＭＯアンテナを備える。任意選択的に、ＭＩＭＯアンテナは、少なくとも２つの送信アンテナを備える。
【０１０３】
当業者は、図３に示されるユーザ装置１４０の構造がユーザ装置１４０に対する制限を構成せず、より多くのまたはより少ないコンポーネント、または特定のコンポーネントの組み合わせ、または異なるコンポーネント構成を含むことができることを理解することができる。
【０１０４】
一般に、ユーザ装置１４０が、あるｅＮＢ１１０によって提供されるセルに存在する場合、ｅＮＢ１１０はユーザ装置１４０とのＲＲＣ接続を確立し、ユーザ装置１４０との通信およびデータ送信を実行することができる。ｅＮＢ１１０がコアネットワークからデータを受信し、データをユーザ装置１４０にダウンリンク送信する必要がある場合、ｅＮＢ１１０はＬＴＥネットワークおよびＷＬＡＮネットワークの事前構成および現在のネットワーク条件に従って、データの一部をＬＴＥネットワークを介してユーザ装置に送信し、残りのデータをＷＬＡＮネットワークを介してユーザ装置に送信する。
【０１０５】
データのダウンリンク送信とは逆に、ｅＮＢ１１０にデータをアップロードする必要がある場合、ユーザ装置１４０はデータの一部をＬＴＥネットワークを介してｅＮＢ１４０にアップロードし、残りのデータをＷＬＡＮネットワークを介してｅＮＢ１１０にアップロードする。ｅＮＢ１１０は受信したデータを集約し、集約したデータをコアネットワークに送信する。
【０１０６】
本発明者は技術改善プロセスにおいて、１つのＷＬＡＮ  ＡＰ１３０を複数のＷＴ１２０に同時に接続することができるので、ユーザ装置１４０がＷＬＡＮ  ＡＰ１３０にデータを送信するとき、ＷＬＡＮ  ＡＰ１３０は、データが送信されるＷＴ１４０を決定することができないことを見出した。
【０１０７】
例えば、ユーザ装置１４１がｅＮＢ１１１とＲＲＣ接続を確立し、ｅＮＢ１１１にデータを送信する場合、データの一部はＬＴＥネットワークを介してｅＮＢ１１１に送信され、残りのデータはＷＬＡＮ  ＡＰ１３２に送信される。ＷＬＡＮ  ＡＰ  １３２はＷＴ  １２１、ＷＴ  １２２に同時に接続されているため、ＷＬＡＮ  ＡＰ  １３２は受け取ったデータを送信するＷＴを決定することができない。ＷＬＡＮ  ＡＰ  １３２がＷＴ  １２１にデータを送信した場合、ＷＴ  １２１はデータを受信し、それから受信したデータをｅＮＢ  １１２に送信することにより、ｅＮＢ  １１１はＬＴＥネットワークを通じてＵ１４１から送信されたデータのみを受け取ることができ、ＷＬＡＮネットワークを通じてユーザ装置  １４１から送られたデータを受け取ることができず、ｅＮＢ  １１１のデータの集約に影響を与える。
【０１０８】
本開示の実施形態はアップリンクデータを送信する際に生じる問題を解決するために、ＷＬＡＮ  ＡＰがデータを受信した後にターゲットＷＴに正確にデータを送信することができるデータ伝送方法およびデータ集約方法を提供する。以下の説明は、概略的な実施形態を用いて行われる。
【０１０９】
図４Ａは、例示的な実施形態によって提供されるデータ伝送方法のフローチャートを示す。本開示の実施形態は、図１に示すデータ伝送システムに適用されるデータ伝送方法によって例示される。データ伝送方法は、以下のステップを含む。
【０１１０】
ステップ４０１において、ユーザ装置はＬＴＥネットワークを介してＬＴＥデータパケットをターゲットｅＮＢに送信し、ターゲットｅＮＢは、ユーザ装置とのＲＲＣ接続を確立するｅＮＢである。
【０１１１】
ユーザ装置が電源オン状態でｅＮＢによってカバーされるセルに入ると、ユーザ装置は、ｅＮＢとのＲＲＣ接続を確立する。ユーザ装置が現在のｅＮＢによってカバーされるセルから離れ、別のｅＮＢによってカバーされるセルに入るとき、ユーザ装置は前のｅＮＢからＲＲＣ接続を切断し、現在のｅＮＢとのＲＲＣ接続を確立する必要がある。本開示のそれぞれの実施形態によって提供されるデータ伝送方法はユーザ装置が存在し、ｅＮＢによってカバーされるセルを例として取り上げることによってのみ説明され、ｅＮＢ間のハンドオーバを含まない。
【０１１２】
ターゲットｅＮＢにデータを送信する場合、ユーザ装置は現在のネットワークの負荷状態に従ってデータをＬＴＥデータパケットおよびＷＬＡＮデータパケットにカプセル化し、ＬＴＥデータパケットをＬＴＥネットワークを介してターゲットｅＮＢに送信することができる。ＬＴＥデータパケットおよびＷＬＡＮデータパケットのカプセル化モードは、本開示の実施形態に限定されない。
【０１１３】
ステップ４０２において、ユーザ装置はＷＬＡＮ  ＡＰにＷＬＡＮデータパケットを送信し、このＷＬＡＮデータパケットは、ターゲットｅＮＢに接続されたターゲットＷＴのＭＡＣアドレスを含む。
【０１１４】
ユーザ装置は、ＷＬＡＮネットワークを介してＷＬＡＮデータパケットを送信する一方、ＬＴＥネットワークを介してＬＴＥデータパケットを送信する。ＷＬＡＮ  ＡＰが受信されたＷＬＡＮデータパケットをターゲットＷＴに送信するために、ユーザ装置は、ターゲットＷＴのＭＡＣアドレスをＷＬＡＮデータパケットに追加する。
【０１１５】
ターゲットＷＴのＭＡＣアドレスをユーザ装置に知らせるために、オプションとして、ターゲットＷＴのＭＡＣアドレスは、ＲＲＣシグナリングを介してターゲットｅＮＢによってユーザ装置に送信され得る。
【０１１６】
ステップ４０３において、ＷＬＡＮ  ＡＰは、ターゲットＷＴのＭＡＣアドレスに従って、ＷＬＡＮデータパケットをターゲットＷＴに送信する。
【０１１７】
ＷＬＡＮデータパケットを受信した後、ＷＬＡＮ  ＡＰはＷＬＡＮデータパケットを解析し、次いで、データパケットに含まれるターゲットＷＴのＭＡＣアドレスを取得し、ＷＬＡＮデータパケットをターゲットＷＴに送信する。
【０１１８】
ステップ４０４において、ターゲットＷＴは、ＷＬＡＮデータパケットをターゲットｅＮＢに送信する。
【０１１９】
ＷＴは１対１の対応でｅＮＢに接続されるので、ＷＬＡＮデータパケットを受信した後、ターゲットＷＴはＷＬＡＮデータパケットを直接接続されたターゲットｅＮＢに送信する。
【０１２０】
ステップ４０５において、ターゲットｅＮＢは、ＬＴＥデータパケットおよびＷＬＡＮデータパケットを集約する。
【０１２１】
ｅＮＢは受信したＬＴＥデータパケットとＷＬＡＮデータパケットとを集約し、集約したデータをコアネットワークに送信することにより、アップリンクデータ伝送を実現する。
【０１２２】
本実施形態では、ユーザ装置によって送信されたＬＴＥデータパケットおよびＷＬＡＮデータパケットが同じｅＮＢに正確に送信され、したがって、ｅＮＢの集約が保証される。同時に、ユーザ装置によってアップロードされたデータは、シャント方式で伝送されるので、ＬＴＥネットワークのみを介してデータを伝送することに起因するネットワーク輻輳が回避され、アップリンクデータ伝送の品質及び伝送効率が改善される。
【０１２３】
以上より、本実施形態のデータ送信方法によれば、ターゲットｅＮＢに接続されているターゲットＷＴのＭＡＣアドレスをＷＬＡＮデータパケットに付加することにより、ＷＬＡＮ  ＡＰは、ユーザ装置が送信したＷＬＡＮデータパケットを受信した後、ＭＡＣアドレスに従って、ＭＡＣデータパケットをターゲットＷＴに転送することができる。最後に、ターゲットＷＴはＷＬＡＮデータパケットをターゲットｅＮＢに送信し、それによってＷＬＡＮデータパケットのアップリンク送信を実施し、ＷＬＡＮ  ＡＰが複数のＷＴに接続される場合、ＷＬＡＮ  ＡＰは、ユーザ装置によって送信されたＷＬＡＮデータパケットを受信した後にＷＬＡＮデータパケットをターゲットＷＴに正確に転送することができないため、ＷＬＡＮデータパケットをターゲットｅＮＢに送信することができないという問題を解決する。ＷＬＡＮ  ＡＰが複数のＷＴに接続される場合、ＷＬＡＮ  ＡＰはＷＬＡＮデータパケット内のターゲットＷＴのＭＡＣアドレスに従ってＷＬＡＮデータパケットをターゲットＷＴに転送することができ、それによって、ＷＬＡＮデータパケットがターゲットｅＮＢに送信されることを保証し、ＷＬＡＮデータパケットのアップリンク送信の精度を改善する。
【０１２４】
任意選択的に、図４Ａに示すように、ステップ４０１は以下のステップをさらに含む。
【０１２５】
ステップ４０６において、ターゲットｅＮＢはＲＲＣ接続を確立するユーザ装置にＲＲＣシグナリングを送信し、ＲＲＣシグナリングは、ターゲットＷＴのＭＡＣアドレスを含む。
【０１２６】
ユーザ装置とのＲＲＣ接続を確立した後、ターゲットｅＮＢはＲＲＣシグナリングの形式でターゲットＷＴのＭＡＣアドレスをユーザ装置に通知し、その結果、ユーザ装置はＷＬＡＮデータパケットを後で送信するときに、ターゲットＷＴのＭＡＣアドレスをＷＬＡＮデータパケットに追加することができる。
【０１２７】
これに対応して、ステップ４０２の前に、次のステップがさらに含まれる。
【０１２８】
ステップ４０７において、ユーザ装置は、ターゲットＷＴのＭＡＣアドレスをＷＬＡＮデータパケットに追加する。
【０１２９】
任意選択的に、ＷＬＡＮデータパケットのＭＡＣヘッダは、８０２．１１データフレームのフレームヘッダフォーマットを採用する。ＭＡＣパケットヘッダは、ＷＬＡＮデータパケットの宛先アドレスを示すために使用されるアドレス３を含む。ユーザ装置はＲＲＣシグナリングに含まれるターゲットＷＴのＭＡＣアドレスを取得し、ターゲットＷＴのＭＡＣアドレスとしてＭＡＣヘッダのアドレス３を設定する。
【０１３０】
図５Ａは、例示的な実施形態によって提供されるデータ伝送方法のフローチャートを示す。本開示の実施形態は、図１に示すユーザ装置１４０に適用されるデータ伝送方法によって例示される。データ伝送方法は、以下のステップを含む。
【０１３１】
ステップ５０１において、ＬＴＥデータパケットはＬＴＥネットワークを介してターゲットｅＮＢに送信され、ターゲットｅＮＢはユーザ装置とのＬＴＥ接続を確立するｅＮＢである。
【０１３２】
ユーザ装置がｅＮＢによってカバーされるセルに存在し、データをｅＮＢに送信する必要がある場合、ＬＴＥネットワークのみを介するデータ送信によって引き起こされるＬＴＥネットワーク輻輳を回避するために、ユーザ装置はデータをＬＴＥデータパケットおよびＷＬＡＮデータパケットにカプセル化し、ＬＴＥデータパケットおよびＷＬＡＮデータパケットをそれぞれＬＴＥネットワークおよびＷＬＡＮネットワークを介して送信する。
【０１３３】
可能な実装態様では、ｅＮＢがＬＴＥネットワークおよびＷＬＡＮネットワークの現在のネットワーク状態をリアルタイムで取得し、事前構成戦略と組み合わせて、どのデータがＬＴＥネットワークを介して送信され、どのデータがＷＬＡＮネットワークを介して送信されるかを決定する。ネットワーク状態は、ネットワーク遅延、ネットワーク負荷、ネットワーク伝送品質などを含む。事前構成戦略は、高タイム性データのための送信ストラテジ、低タイム性データのための送信ストラテジ、オーディオおよびビデオデータのための送信ストラテジなどを含む。
【０１３４】
ｅＮＢはデータ送信モードを決定した後、ブロードキャストシステムメッセージの形式を使用することによって、セル内の各ユーザ装置にパス指示を送信することができ、パス指示は、ユーザ装置がデータをアップロードする方法を示すために使用される。ｅＮＢはまた、ユーザ装置によってイネーブルされるサービスに従って、異なるユーザ装置に対して異なるパス指示を送信してもよいことに留意すべきであり、この実施形態に限定されない。
【０１３５】
それに応じて、ユーザ装置はパス指示に従ってｅＮＢにデータを送信する方法を決定し、アップロードされるべきデータをＬＴＥデータパケットおよびＷＬＡＮデータパケットにカプセル化し、対応する送信方法で送信を実行する。
【０１３６】
例えば、ユーザ装置は受信したパス指示に従って、高タイム性要件を有するデータをＬＴＥデータパケットにカプセル化し、カプセル化されたデータをＬＴＥネットワークを介して送信する。
【０１３７】
ステップ５０２において、ＷＬＡＮデータパケットはＷＬＡＮ  ＡＰに送信され、ＷＬＡＮデータパケットはターゲットｅＮＢに接続されたターゲットＷＴのＭＡＣアドレスを含む。ＷＬＡＮ  ＡＰは、ターゲットＷＴのＭＡＣアドレスに従って、ＷＬＡＮデータパケットをターゲットＷＴに送信するように構成される。ターゲットＷＴは、ＷＬＡＮデータパケットをターゲットｅＮＢに送信するように構成される。ターゲットｅＮＢは、ＬＴＥデータパケットおよびＷＬＡＮデータパケットを集約するように構成される。
【０１３８】
ユーザ装置はＷＬＡＮネットワークを介してＷＬＡＮデータパケットをｅＮＢに送信し、ＬＴＥネットワークを介してＬＴＥデータパケットをｅＮＢに送信する。
【０１３９】
図１に示すデータ伝送システムでは、ユーザ装置がＷＬＡＮネットワークを介して送信するＷＬＡＮデータパケットのパスがユーザ装置→ＷＬＡＮ  ＡＰ→ＷＴ→ｅＮＢである。ＷＬＡＮ  ＡＰに、受信されたＷＬＡＮデータパケットがどこのＷＴに送信されるかを知らせるために、ユーザ装置によってＷＬＡＮ  ＡＰに送信されたＷＬＡＮデータパケットはターゲットＷＴのＭＡＣアドレスを含み、ターゲットＷＴは、ユーザ装置に対応するターゲットｅＮＢに接続されたＷＴである。
【０１４０】
例えば、ユーザ装置１４１がＷＬＡＮデータパケットをｅＮＢ１１１に送信する場合、ユーザ装置１４１がｅＮＢ１１１に送信するＷＬＡＮデータパケットは、ｅＮＢ１１１に接続されたＷＴ１２１のＭＡＣアドレスを含む。ＭＡＣアドレスの一意性により、ＷＬＡＮ  ＡＰ１３２がＷＬＡＮデータパケットを受信すると、ＷＴ１２２の代わりにＷＴ１２１にＷＬＡＮデータパケットを送信する必要があると決定することができる。ＷＬＡＮ  ＡＰ１３２によって送信されたＷＬＡＮデータパケットを受信した後、ＷＴ１２１はＷＬＡＮデータパケットをさらにｅＮＢ１１１に送信し、それによってＷＬＡＮデータのアップリンク送信を完了する。なお、データは伝送段階によって表現形式が異なる。例えば、データが物理層で伝送される場合、データはビットストリームの形式で表現される。データがデータリンク層で伝送される場合、データはフレームとして表現される。データがネットワーク層で伝送される場合、データはパケットの形式で表現される。実施形態における「データパケット」は、異なる送信ステージにおけるデータについての一般的な用語としてのみ使用され、特定の送信ステージに特有のものではない。
【０１４１】
以上より、本実施形態のデータ伝送方法によれば、ターゲットｅＮＢに接続されているターゲットＷＴのＭＡＣアドレスをＷＬＡＮデータパケットに付加することにより、ＷＬＡＮ  ＡＰは、ユーザ装置が送信したＷＬＡＮデータパケットを受信した後、ＭＡＣアドレスに従って、ＭＡＣデータパケットをターゲットＷＴに転送することができる。最後に、ターゲットＷＴはＷＬＡＮデータパケットをターゲットｅＮＢに送信し、それによってＷＬＡＮデータパケットのアップリンク送信を実施し、ＷＬＡＮ  ＡＰが複数のＷＴに接続される場合、ＷＬＡＮ  ＡＰは、ユーザ装置によって送信されたＷＬＡＮデータパケットを受信した後にＷＬＡＮデータパケットをターゲットＷＴに正確に転送することができないため、ＷＬＡＮデータパケットをターゲットｅＮＢに送信することができないという問題を解決する。ＷＬＡＮ  ＡＰが複数のＷＴに接続される場合、ＷＬＡＮ  ＡＰはＷＬＡＮデータパケット内のターゲットＷＴのＭＡＣアドレスに従ってＷＬＡＮデータパケットをターゲットＷＴに転送することができ、それによって、ＷＬＡＮデータパケットがターゲットｅＮＢに送信されることを保証し、ＷＬＡＮデータパケットのアップリンク送信の精度を改善する。
【０１４２】
ターゲットｅＮＢに接続されたターゲットＷＴのＭＡＣアドレスをユーザ装置に知らせるために、ｅＮＢは、ユーザ装置とのＲＲＣ接続を確立した後にＲＲＣシグナリングを送信する方法で、セル内の各ユーザ装置にターゲットＷＴのＭＡＣアドレスを通知することができる。可能な実施方法では、図５Ａに基づいて、図５Ｂに示されるように、上記の方法は以下のステップをさらに含む。
【０１４３】
ステップ５０３で、ターゲットｅＮＢによって送信されたＲＲＣシグナリングが受信され、ＲＲＣシグナリングは、ターゲットＷＴのＭＡＣアドレスを含む。
【０１４４】
ユーザ装置とのＲＲＣ接続を確立した後、ターゲットｅＮＢはＲＲＣシグナリングを各ユーザ装置にブロードキャストまたはユニキャストで送信することができ、ＲＲＣシグナリングは、ターゲットｅＮＢに接続されたターゲットＷＴのＭＡＣアドレスを含む。
【０１４５】
ステップ５０４では、ＲＲＣシグナリングに含まれるターゲットＷＴのＭＡＣアドレスを取得する。
【０１４６】
さらに、ユーザ装置は、ＲＲＣシグナリングからターゲットＷＴのＭＡＣアドレスを取得する。
【０１４７】
ステップ５０５で、ターゲットＷＴのＭＡＣアドレスがＷＬＡＮデータパケットに追加される。
【０１４８】
ユーザ装置は、ＷＬＡＮ  ＡＰがターゲットＷＴのＭＡＣアドレスを取得し、さらにＭＡＣアドレスを送信するように、ターゲットＷＴの取得したＭＡＣアドレスをＷＬＡＮデータパケットに追加する。
【０１４９】
可能な実装態様では、ユーザ装置がＷＬＡＮデータパケットのＭＡＣヘッダにＭＡＣアドレスを格納することができる。ＷＬＡＮデータパケットがＷＬＡＮ  ＡＰに到達した後、ＷＬＡＮ  ＡＰはＭＡＣヘッダからＭＡＣアドレスを抽出し、さらにＭＡＣアドレスを送信することができる。
【０１５０】
ここで、ＷＬＡＮデータパケットのＭＡＣヘッダは８０２．１１データフレーム（すなわち、ＭＡＣフレーム）のフレームヘッダフォーマット（ｆｒａｍｅ  ｈｅａｄｅｒ  ｆｏｒｍａｔ）を採用することができる。８０２．１１データフレームのフォーマットは、表１に示すとおりである。
【表１】
2019520007.tif 000003
【０１５１】
表１において、８０２．１１データフレームのＭＡＣヘッダはフレーム制御からアドレス４までをカバーし、８０２．１１データフレームのＭＡＣボディは、残りの部分をカバーする。アドレス１は、データフレームの受信者を示すために使用される。アドレス２は、データフレームの送信者を示すために使用される。アドレス３は、データフレームの宛先アドレスを示すために使用される。アドレス４は、データフレームのソースアドレスを示すために使用される。
【０１５２】
ユーザ装置がターゲットＷＴのＭＡＣアドレスをＷＬＡＮデータパケットに追加する場合、ＭＡＣヘッダ内のアドレス３をターゲットＷＴのＭＡＣアドレスとして設定することができる。
【０１５３】
それに応じて、ＷＬＡＮ  ＡＰはＷＬＡＮデータパケットを受信しながら、ＭＡＣヘッダのアドレス３からＭＡＣアドレスを取得することができる。
【０１５４】
この実施形態では、ターゲットｅＮＢがＲＲＣシグナリングを送信する方法で、ターゲットＷＴのＭＡＣをユーザ装置に通知する。ユーザ装置はＷＬＡＮデータパケットのＭＡＣヘッダのアドレス３にＭＡＣアドレスを追加して、既存のＷＬＡＮ  ＡＰを変更することなくＷＬＡＮデータパケットを正しく送信することができるようにすることにより、システム変換コストを低減する。
【０１５５】
図６Ａは、例示的な実施形態によって提供されるデータ集約方法のフローチャートを示す。本開示の実施形態は、図１に示すｅＮＢ１１０に適用されるデータ集約方法によって例示される。データ集約方法は、以下のステップを含む。
【０１５６】
ステップ６０１において、ＬＴＥネットワークを介してユーザ装置によって送信されたＬＴＥデータパケットが受信され、ユーザ装置は、ｅＮＢとのＲＲＣ接続を確立する。
【０１５７】
ｅＮＢはＬＴＥネットワークおよびＷＬＡＮネットワークの現在のネットワーク状態を取得し、事前構成戦略と組み合わせて、どのデータがＬＴＥネットワークを介して送信され、どのデータがＷＬＡＮネットワークを介して送信されるかを決定する。データ送信モードが決定された後、パス指示はブロードキャストシステムメッセージの形式でセル内の各ユーザ装置に送信され、パス指示はユーザ装置がデータをアップロードする方法を示すために使用される。
【０１５８】
ｅＮＢによってカバーされるセル内のユーザ装置がデータをアップロードする必要がある場合、データはパス指示に従ってアップロードされる。
【０１５９】
ユーザ装置がパス指示に従ってＬＴＥネットワークを介してＬＴＥデータパケットをアップロードする場合、ｅＮＢは、ＬＴＥネットワークを介してＬＴＥデータパケットを受信する。
【０１６０】
ステップ６０２において、ｅＮＢに接続されたＷＴによって送信されたＷＬＡＮデータパケットが受信され、ＷＬＡＮデータパケットは、ＷＴのＭＡＣアドレスを含む。ＷＬＡＮデータパケットは、ＭＡＣアドレスに従ってＷＴに接続されたＷＬＡＮ  ＡＰによってＷＴに送信される。
【０１６１】
ｅＮＢはまた、ユーザ装置によってＷＬＡＮネットワークを介して送信されたＷＬＡＮデータパケットを受信する一方で、ＬＴＥネットワークを介してＬＴＥデータパケットを受信する。図１に示すデータ伝送システムでは、ユーザ装置がＷＬＡＮネットワークを介して送信するＷＬＡＮデータパケットのパスがユーザ装置→ＷＬＡＮ  ＡＰ→ＷＴ→ｅＮＢである。
【０１６２】
ＷＬＡＮ  ＡＰがＷＬＡＮデータパケットを正しいＷＴに転送するために、ユーザ装置によってＷＬＡＮ  ＡＰに送信されるＷＬＡＮデータパケットは、（ユーザ装置とのＲＲＣ接続を確立する）ターゲットｅＮＢに接続されたターゲットＷＴのＭＡＣアドレスを含む。ＷＬＡＮ  ＡＰは、ＭＡＣアドレスに従って、受信されたＷＬＡＮデータパケットをターゲットＷＴに送信する。最後に、ターゲットＷＴは、ＷＬＡＮデータパケットをターゲットｅＮＢに送信する。
【０１６３】
ステップ６０３では、ＬＴＥデータパケットとＷＬＡＮデータパケットが集約される。
【０１６４】
ＬＴＥネットワークを介して１つのユーザ装置によって送信されたＬＴＥデータパケットと、ＷＬＡＮネットワークを介して同じユーザ装置によって送信されたＷＬＡＮデータパケットとは、最終的にターゲットｅＮＢに到達し、次いで、ターゲットｅＮＢによって集約され、その結果、ユーザ装置によってアップロードされたデータが回復される。ユーザ装置によってアップロードされたデータは、シャント方式で送信されるので、ＬＴＥネットワークを介して送信されるデータ量は低減され、ＬＴＥネットワークの輻輳が回避され、データ送信効率および品質が改善される。
【０１６５】
以上より、本実施の形態のデータ伝送方法によれば、ターゲットｅＮＢに接続されたターゲットＷＴのＭＡＣアドレスをＷＬＡＮデータパケットに付加することにより、ＷＬＡＮ  ＡＰは、ユーザ装置が送信したＷＬＡＮデータパケットを受信した後、ＭＡＣアドレスに従って、ＭＡＣデータパケットをターゲットＷＴに転送することができる。最後に、ターゲットＷＴはＷＬＡＮデータパケットをターゲットｅＮＢに送信し、それによってＷＬＡＮデータパケットのアップリンク送信を実施し、ＷＬＡＮ  ＡＰが複数のＷＴに接続される場合、ＷＬＡＮ  ＡＰは、ユーザ装置によって送信されたＷＬＡＮデータパケットを受信した後にＷＬＡＮデータパケットをターゲットＷＴに正確に転送することができないため、ＷＬＡＮデータパケットをターゲットｅＮＢに送信することができないという問題を解決する。ＷＬＡＮ  ＡＰが複数のＷＴに接続される場合、ＷＬＡＮ  ＡＰはＷＬＡＮデータパケット内のターゲットＷＴのＭＡＣアドレスに従ってＷＬＡＮデータパケットをターゲットＷＴに転送することができ、それによって、ＷＬＡＮデータパケットがターゲットｅＮＢに送信されることを保証し、ＷＬＡＮデータパケットのアップリンク送信の精度を改善する。
【０１６６】
ユーザ装置とのＲＲＣ接続を確立した後、ｅＮＢは、ＲＲＣシグナリングを送信する方法で、ターゲットＷＴのＭＡＣアドレスをセル内の各ユーザ装置に通知することができる。可能な実施方法では、図６Ｂに示されるように、ステップ６０１の前に、次のステップがさらに含まれる。
【０１６７】
ステップ６０４において、ＲＲＣシグナリングがユーザ装置に送信され、ＲＲＣシグナリングはＷＴのＭＡＣアドレスを含む。ユーザ装置は、ＷＴのＭＡＣアドレスとして、ＷＬＡＮデータパケットのＭＡＣヘッダ内のアドレス３を設定するように構成される。アドレス３は、ＷＬＡＮデータパケットの宛先アドレスを示すために使用される。ＭＡＣヘッダは、８０２．１１データフレームのフレームヘッダフォーマットを採用する。
【０１６８】
ユーザ装置とのＲＲＣ接続を確立した後、ＲＲＣシグナリングはブロードキャストまたはユニキャスト方式で各ユーザ装置に送信され、ＲＲＣシグナリングはターゲットｅＮＢに接続されたターゲットＷＴのＭＡＣアドレスを含む。
【０１６９】
これに応じて、ユーザ装置はＲＲＣシグナリングに含まれるターゲットＷＴのＭＡＣアドレスを受信して取得し、ＷＬＡＮネットワークを介してＷＬＡＮデータパケットを送信する際に、ＷＬＡＮデータパケットにＭＡＣアドレスを付加する。
【０１７０】
可能な実装態様では、ユーザ装置がＷＬＡＮデータパケットのＭＡＣヘッダにＭＡＣアドレスを格納することができる。ＷＬＡＮデータパケットがＷＬＡＮ  ＡＰに到達した後、ＷＬＡＮ  ＡＰはＭＡＣヘッダからＭＡＣアドレスを抽出し、さらにＭＡＣアドレスを送信することができる。具体的には、ＷＬＡＮデータパケットのＭＡＣヘッダが８０２．１１データフレーム（すなわち、ＭＡＣフレーム）のフレームヘッダフォーマット（ｆｒａｍｅ  ｈｅａｄｅｒ  ｆｏｒｍａｔ）を採用することができる。ユーザ装置は、ＭＡＣヘッダのアドレス３にターゲットＷＴのＭＡＣアドレスを追加する。アドレス３は、ＷＬＡＮデータパケットの宛先アドレスを示すために使用される。
【０１７１】
この実施形態では、ターゲットｅＮＢがＲＲＣシグナリングを送信する方法で、ターゲットＷＴのＭＡＣをユーザ装置に通知する。ユーザ装置はＷＬＡＮデータパケットのＭＡＣヘッダのアドレス３にＭＡＣアドレスを追加して、既存のＷＬＡＮ  ＡＰを変更することなくＷＬＡＮデータパケットを正しく送信することができるようにすることにより、システム変換コストを低減する。
【０１７２】
以下は、本開示の方法の実施形態を実装するために使用され得る本開示の装置実施形態である。本開示の装置の実施形態に開示されていない詳細については、本開示の方法の実施形態を参照することができる。
【０１７３】
図７は、本発明の実施形態によって提供されるデータ伝送装置の構成を示すブロック図である。データ伝送装置は、図１に示すユーザ装置１４０の全体または一部として、専用のハードウェア回路、またはハードウェアとソフトウェアの組み合わせによって実現することができる。データ伝送装置は以下を含む。
【０１７４】
ＬＴＥ（Ｌｏｎｇ  Ｔｅｒｍ  Ｅｖｏｌｕｔｉｏｎ）ネットワークを介してＬＴＥデータパケットをターゲットｅＮＢに送信するように構成された第１の送信モジュール７１０であって、ターゲットｅＮＢは、ユーザ装置とのＲＲＣ（Ｒａｄｉｏ  Ｒｅｓｏｕｒｃｅ  Ｃｏｎｔｒｏｌ）接続を確立するｅＮＢである。
【０１７５】
第２の送信モジュール７２０はＷＬＡＮデータパケットをＷＬＡＮ  ＡＰに送信するように構成され、ＷＬＡＮデータパケットはターゲットｅＮＢに接続されたターゲットＷＴのＭＡＣ（Ｍｅｄｉｕｍ  Ａｃｃｅｓｓ  Ｃｏｎｔｒｏｌ）アドレスを含み、ＷＬＡＮ  ＡＰはターゲットＷＴのＭＡＣアドレスに従ってＷＬＡＮデータパケットをターゲットＷＴに送信するように構成され、ターゲットＷＴはＷＬＡＮデータパケットをターゲットｅＮＢに送信するように構成され、ターゲットｅＮＢはＬＴＥデータパケットおよびＷＬＡＮデータパケットを集約するように構成される。
【０１７６】
任意選択的に、装置はさらに以下を含む。
【０１７７】
受信モジュール７３０はターゲットｅＮＢによって送信されたＲＲＣシグナリングを受信するように構成され、ＲＲＣシグナリングはターゲットＷＴのＭＡＣアドレスを含む。
【０１７８】
ＲＲＣシグナリングに含まれるターゲットＷＴのＭＡＣアドレスを取得するように構成された取得モジュール７４０。
【０１７９】
ターゲットＷＴのＭＡＣアドレスをＷＬＡＮデータパケットに追加するように構成された追加モジュール７５０。
【０１８０】
任意選択的に、ＷＬＡＮデータパケットのＭＡＣヘッダは８０２．１１データフレームのフレームヘッダフォーマットを採用し、ＭＡＣヘッダは、ＷＬＡＮデータパケットの宛先アドレスを示すために使用されるアドレス３を含む。
【０１８１】
追加モジュールは、ＭＡＣヘッダ内のアドレス３をターゲットＷＴのＭＡＣアドレスとして設定するように構成される。
【０１８２】
以上より、本実施形態のデータ伝送装置によれば、ターゲットｅＮＢに接続されているターゲットＷＴのＭＡＣアドレスをＷＬＡＮデータパケットに付加することにより、ＷＬＡＮ  ＡＰはユーザ装置が送信したＷＬＡＮデータパケットを受信した後、ＭＡＣアドレスに従って、ＭＡＣデータパケットをターゲットＷＴに転送することができる。最後に、ターゲットＷＴはＷＬＡＮデータパケットをターゲットｅＮＢに送信し、それによってＷＬＡＮデータパケットのアップリンク送信を実施し、ＷＬＡＮ  ＡＰが複数のＷＴに接続される場合、ＷＬＡＮ  ＡＰは、ユーザ装置によって送信されたＷＬＡＮデータパケットを受信した後にＷＬＡＮデータパケットをターゲットＷＴに正確に転送することができないため、ＷＬＡＮデータパケットをターゲットｅＮＢに送信することができないという問題を解決する。ＷＬＡＮ  ＡＰが複数のＷＴに接続される場合、ＷＬＡＮ  ＡＰはＷＬＡＮデータパケット内のターゲットＷＴのＭＡＣアドレスに従ってＷＬＡＮデータパケットをターゲットＷＴに転送することができ、それによって、ＷＬＡＮデータパケットがターゲットｅＮＢに送信されることを保証し、ＷＬＡＮデータパケットのアップリンク送信の精度を改善する。
【０１８３】
実施形態では、ターゲットｅＮＢがＲＲＣシグナリングを送信する方法で、ターゲットＷＴのＭＡＣをユーザ装置に通知する。ユーザ装置はＷＬＡＮデータパケットのＭＡＣヘッダのアドレス３にＭＡＣアドレスを追加して、既存のＷＬＡＮ  ＡＰを変更することなくＷＬＡＮデータパケットを正しく送信することができるようにすることにより、システム変換コストを低減する。
【０１８４】
図８は、本開示の例示的な実施形態によって提供されるデータ集約装置の構造のブロック図を示す。データ集約装置は、図１に示すｅＮＢ１１０の全体または一部として、専用のハードウェア回路、またはハードウェアとソフトウェアの組み合わせによって実装することができる。データ集約装置は以下を含む。
【０１８５】
ユーザ装置がＬＴＥネットワークを介して送信したＬＴＥデータパケットを受信するように構成され、ユーザ装置がｅＮＢとのＲＲＣ接続を確立する第１の受信モジュール８１０。
【０１８６】
接続されたＷＴによって送信されたＷＬＡＮデータパケットを受信するように構成され、ＷＬＡＮデータパケットは、ＷＴのＭＡＣアドレスを含み、ＭＡＣアドレスに従ってＷＴに接続されたＷＬＡＮ  ＡＰによってＷＴに送信される第２の受信モジュール８２０。
【０１８７】
ＬＴＥデータパケットおよびＷＬＡＮデータパケットを集約するように構成された集約モジュール８３０。
【０１８８】
任意選択的に、装置はさらに以下を含む。
【０１８９】
シグナリング送信モジュール８４０はＲＲＣシグナリングをユーザ装置に送信するように構成され、ＲＲＣシグナリングはＷＴのＭＡＣアドレスを含み、ユーザ装置はＷＬＡＮデータパケットのＭＡＣヘッダ内のアドレス３をＷＴのＭＡＣアドレスとして設定するように構成され、アドレス３はＷＬＡＮデータパケットの宛先アドレスを示すために使用され、ＭＡＣヘッダは８０２．１１データフレームのフレームヘッダフォーマットを採用する。
【０１９０】
以上より、本実施の形態により提供されるデータ集約装置によれば、ターゲットｅＮＢに接続されるターゲットＷＴのＭＡＣアドレスをＷＬＡＮデータパケットに付加することにより、ＷＬＡＮ  ＡＰはユーザ装置が送信するＷＬＡＮデータパケットを受信した後、ＭＡＣアドレスに従ってＭＡＣデータパケットをターゲットＷＴに転送することができる。最後に、ターゲットＷＴはＷＬＡＮデータパケットをターゲットｅＮＢに送信し、それによってＷＬＡＮデータパケットのアップリンク送信を実施し、ＷＬＡＮ  ＡＰが複数のＷＴに接続される場合、ＷＬＡＮ  ＡＰは、ユーザ装置によって送信されたＷＬＡＮデータパケットを受信した後にＷＬＡＮデータパケットをターゲットＷＴに正確に転送することができないため、ＷＬＡＮデータパケットをターゲットｅＮＢに送信することができないという問題を解決する。ＷＬＡＮ  ＡＰが複数のＷＴに接続される場合、ＷＬＡＮ  ＡＰはＷＬＡＮデータパケット内のターゲットＷＴのＭＡＣアドレスに従ってＷＬＡＮデータパケットをターゲットＷＴに転送することができ、それによって、ＷＬＡＮデータパケットがターゲットｅＮＢに送信されることを保証し、ＷＬＡＮデータパケットのアップリンク送信の精度を改善する。
【０１９１】
実施形態では、ターゲットｅＮＢがＲＲＣシグナリングを送信する方法で、ターゲットＷＴのＭＡＣをユーザ装置に通知する。ユーザ装置はＷＬＡＮデータパケットのＭＡＣヘッダのアドレス３にＭＡＣアドレスを追加して、既存のＷＬＡＮ  ＡＰを変更することなくＷＬＡＮデータパケットを正しく送信することができるようにすることにより、システム変換コストを低減する。
【０１９２】
上記の実施形態のデバイスに関して、各モジュールによって実行される動作の特定の方法は本方法の実施形態において詳細に説明されており、その説明は、本明細書では詳細に説明されない場合がある。
【０１９３】
本開示の他の実施形態は、本明細書の考察および本明細書に開示される本発明の実施から当業者には明らかであろう。本出願は本開示の一般原理に従う本開示のいかなる変形、使用、または適応をも網羅することを意図し、当該技術分野において既知のまたは慣習的な実践の範囲内にある本開示からのそのような逸脱を含む。明細書および実施例は例示としてのみ考慮され、本開示の真の範囲および精神は添付の特許請求の範囲によって示されることが意図される。
【０１９４】
当然のことながら、本開示は、上述され、添付図面に示された厳密な構成に限定されず、その範囲から逸脱することなく、様々な修正および変更を行うことができる。本開示の範囲は、添付の特許請求の範囲によってのみ限定されることが意図される。
【図１】
2019520007.tif 000004
【図２】
2019520007.tif 000005
【図３】
2019520007.tif 000006
【図４Ａ】
2019520007.tif 000007
【図４Ｂ】
2019520007.tif 000008
【図５Ａ】
2019520007.tif 000009
【図５Ｂ】
2019520007.tif 000010
【図６Ａ】
2019520007.tif 000011
【図６Ｂ】
2019520007.tif 000012
【図７】
2019520007.tif 000013
【図８】
2019520007.tif 000014
【手続補正書】
【提出日】平成31年2月26日(2019.2.26)
【手続補正１】
【補正対象書類名】特許請求の範囲
【補正対象項目名】全文
【補正方法】変更
【補正の内容】
【特許請求の範囲】
【請求項１】
進化型ノードＢ（ｅＮＢ）、無線ローカルエリアネットワーク終端（ＷＴ）、無線ローカルエリアネットワークアクセスポイント（ＷＬＡＮ  ＡＰ）、およびユーザ装置（ＵＥ）を備え、前記ＷＴは１対１の対応で前記ｅＮＢに接続され、前記ＷＬＡＮ  ＡＰは前記ＷＴのうちの少なくとも１つに接続される、データ伝送システムであって、
前記ユーザ装置は、ＬＴＥネットワークを介してターゲットｅＮＢにＬＴＥ（ｌｏｎｇ  ｔｅｒｍ  ｅｖｏｌｕｔｉｏｎ）データパケットを送信するように構成され、前記ターゲットｅＮＢは前記ユーザ装置とのＲＲＣ（ｒａｄｉｏ  ｒｅｓｏｕｒｃｅ  ｃｏｎｔｒｏｌ）接続を確立するｅＮＢであり、
前記ユーザ装置は、無線ローカルエリアネットワーク（ＷＬＡＮ）データパケットを前記ＷＬＡＮ  ＡＰに送信するように構成され、前記ＷＬＡＮデータパケットは前記ターゲットｅＮＢに接続されたターゲットＷＴのＭＡＣ（ｍｅｄｉｕｍ  ａｃｃｅｓｓ  ｃｏｎｔｒｏｌ）アドレスを含み、
前記ＷＬＡＮ  ＡＰは、前記ターゲットＷＴの前記ＭＡＣアドレスに従って、前記ＷＬＡＮデータパケットを前記ターゲットＷＴに送信するように構成され、
前記ターゲットＷＴは、前記ＷＬＡＮデータパケットを前記ターゲットｅＮＢに送信するように構成され、
前記ターゲットｅＮＢは、前記ＬＴＥデータパケットおよび前記ＷＬＡＮデータパケットを集約するように構成される、データ伝送システム。
【請求項２】
前記ターゲットｅＮＢは、前記ＲＲＣ接続を確立する前記ユーザ装置にＲＲＣシグナリングを送信するようにさらに構成され、前記ＲＲＣシグナリングは前記ターゲットＷＴのＭＡＣアドレスを含み、
前記ユーザ装置は、前記ターゲットＷＴの前記ＭＡＣアドレスを、前記ＷＬＡＮデータパケットに追加するようにさらに構成される、請求項１に記載のシステム。
【請求項３】
前記ＷＬＡＮデータパケットのＭＡＣヘッダは、８０２．１１データフレームのフレームヘッダフォーマットを採用し、前記ＭＡＣヘッダは前記ＷＬＡＮデータパケットの宛先アドレスを示すために使用されるアドレス３を備え、
前記ユーザ装置はさらに、前記ＲＲＣシグナリングに含まれる前記ターゲットＷＴの前記ＭＡＣアドレスを取得し、前記ＭＡＣヘッダ内の前記アドレス３を前記ターゲットＷＴの前記ＭＡＣアドレスとして設定するように構成される、請求項２に記載のシステム。
【請求項４】
データ伝送方法であって、
ユーザ装置（ＵＥ）によって、ＬＴＥ（ｌｏｎｇ  ｔｅｒｍ  ｅｖｏｌｕｔｉｏｎ）データパケットをＬＴＥネットワークを介してターゲット進化型ノードＢ（ｅＮＢ）に送信するステップであって、前記ターゲットｅＮＢは、前記ユーザ装置とのＲＲＣ（ｒａｄｉｏ  ｒｅｓｏｕｒｃｅ  ｃｏｎｔｒｏｌ）接続を確立するｅＮＢであるステップと、
前記ユーザ装置によって、無線ローカルエリアネットワーク（ＷＬＡＮ）データパケットを無線ローカルエリアネットワークアクセスポイント（ＷＬＡＮ  ＡＰ）に送信するステップであって、前記ＷＬＡＮデータパケットは、前記ターゲットｅＮＢに接続されたターゲットＷＴのＭＡＣ（ｍｅｄｉｕｍ  ａｃｃｅｓｓ  ｃｏｎｔｒｏｌ）アドレスを含み、前記ＷＬＡＮ  ＡＰは、前記ターゲットＷＴの前記ＭＡＣアドレスに従って前記ＷＬＡＮデータパケットを前記ターゲットＷＴに送信するように構成され、前記ターゲットＷＴは前記ターゲットｅＮＢ  に前記ＷＬＡＮデータパケットを送信するように構成され、前記ターゲットｅＮＢは、前記ＬＴＥデータパケットおよび前記ＷＬＡＮデータパケットを集約するように構成されるステップと、を備えるデータ伝送方法。
【請求項５】
前記ユーザ装置によって、前記ターゲットｅＮＢによって送信されたＲＲＣシグナリングを受信するステップであって、前記ＲＲＣシグナリングは、前記ターゲットＷＴのＭＡＣアドレスを含むステップと、
前記ユーザ装置によって、前記ＲＲＣシグナリングに含まれる前記ターゲットＷＴの前記ＭＡＣアドレスを取得するステップと、
前記ユーザ装置によって、前記ターゲットＷＴの前記ＭＡＣアドレスを前記ＷＬＡＮデータパケットに追加するステップと、をさらに備える請求項４に記載の方法。
【請求項６】
前記ＷＬＡＮデータパケットのＭＡＣヘッダは、８０２．１１データフレームのフレームヘッダフォーマットを採用し、前記ＭＡＣヘッダは、前記ＷＬＡＮデータパケットの宛先アドレスを示すために使用されるアドレス３を備え、
前記ターゲットＷＴの前記ＭＡＣアドレスを前記ＷＬＡＮデータパケットに追加するステップは、
前記ユーザ装置によって、前記ＭＡＣヘッダの前記アドレス３を前記ターゲットＷＴの前記ＭＡＣアドレスとして設定するステップを備える、請求項５に記載の方法。
【請求項７】
データ集約方法であって、
進化型ノードＢ（ｅＮＢ）によって、ＬＴＥネットワークを介してユーザ装置（ＵＥ）によって送信されたＬＴＥ（ｌｏｎｇ  ｔｅｒｍ  ｅｖｏｌｕｔｉｏｎ）データパケットを受信するステップであって、前記ユーザ装置は、前記ｅＮＢとのＲＲＣ（ｒａｄｉｏ  ｒｅｓｏｕｒｃｅ  ｃｏｎｔｒｏｌ）接続を確立するステップと、
前記ｅＮＢによって、前記ｅＮＢに接続された無線ローカルエリアネットワーク終端（ＷＴ）によって送信された無線ローカルエリアネットワーク（ＷＬＡＮ）データパケットを受信するステップであって、前記ＷＬＡＮデータパケットは、前記ＷＴのＭＡＣ（ｍｅｄｉｕｍ  ａｃｃｅｓｓ  ｃｏｎｔｒｏｌ）アドレスを含み、前記ＭＡＣアドレスに従って前記ＷＴに接続された無線ローカルエリアネットワークアクセスポイント（ＷＬＡＮ  ＡＰ）によって前記ＷＴに送信されるステップと、
前記ｅＮＢによって、前記ＬＴＥデータパケットおよび前記ＷＬＡＮデータパケットを集約するステップと、を備えるデータ集約方法。
【請求項８】
前記ｅＮＢによって、ＲＲＣシグナリングを前記ユーザ装置に送信するステップであって、前記ＲＲＣシグナリングは前記ＷＴの前記ＭＡＣアドレスを備え、前記ユーザ装置は前記ＷＴの前記ＭＡＣアドレスとして前記ＷＬＡＮデータパケットのＭＡＣヘッダ内のアドレス３を設定するように構成され、前記アドレス３は前記ＷＬＡＮデータパケットの宛先アドレスを示すために使用され、前記ＭＡＣヘッダは８０２．１１データフレームのフレームヘッダフォーマットを採用するステップをさらに備える、請求項７に記載の方法。
【請求項９】
データ伝送装置であって、
ＬＴＥネットワークを介してターゲット進化型ノードＢ（ｅＮＢ）にＬＴＥ（ｌｏｎｇ  ｔｅｒｍ  ｅｖｏｌｕｔｉｏｎ）データパケットを送信するように構成された第１の送信モジュールであって、前記ターゲットｅＮＢは、ユーザ装置（ＵＥ）とのＲＲＣ（ｒａｄｉｏ  ｒｅｓｏｕｒｃｅ  ｃｏｎｔｒｏｌ）接続を確立するｅＮＢである第１の送信モジュールと、
無線ローカルエリアネットワーク（ＷＬＡＮ）データパケットを無線ローカルエリアネットワークアクセスポイント（ＷＬＡＮ  ＡＰ）に送信するように構成された第２の送信モジュールであって、前記ＷＬＡＮデータパケットは前記ターゲットｅＮＢに接続されたターゲット無線ローカルエリアネットワーク終端（ＷＴ）のＭＡＣ（ｍｅｄｉｕｍ  ａｃｃｅｓｓ  ｃｏｎｔｒｏｌ）アドレスを含み、前記ＷＬＡＮ  ＡＰは前記ターゲットＷＴの前記ＭＡＣアドレスに従って前記ＷＬＡＮデータパケットを前記ターゲットＷＴに送信するように構成され、前記ターゲットＷＴは前記ＷＬＡＮデータパケットを前記ターゲットｅＮＢに送信するように構成され、前記ターゲットｅＮＢは前記ＬＴＥデータパケットおよび前記ＷＬＡＮデータパケットを集約するように構成される第２の送信モジュールと、を備えるデータ伝送装置。
【請求項１０】
前記ターゲットｅＮＢによって送信されたＲＲＣシグナリングを受信するように構成されたシグナリング受信モジュールであって、前記ＲＲＣシグナリングは前記ターゲットＷＴの前記ＭＡＣアドレスを含むシグナリング受信モジュールと、
前記ＲＲＣシグナリングに含まれる前記ターゲットＷＴの前記ＭＡＣアドレスを取得するように構成された取得モジュールと、
前記ターゲットＷＴの前記ＭＡＣアドレスを前記ＷＬＡＮデータパケットに追加するように構成された追加モジュールと、をさらに備える請求項９に記載の装置。
【請求項１１】
前記ＷＬＡＮデータパケットのＭＡＣヘッダは８０２．１１データフレームのフレームヘッダフォーマットを採用し、前記ＭＡＣヘッダは、前記ＷＬＡＮデータパケットの宛先アドレスを示すために使用されるアドレス３を備え、
前記追加モジュールは、前記ＭＡＣヘッダ内の前記アドレス３を前記ターゲットＷＴの前記ＭＡＣアドレスとして設定するように構成される、請求項１０に記載の装置。
【請求項１２】
データ集約装置であって、
ＬＴＥネットワークを介してユーザ装置（ＵＥ）によって送信されたＬＴＥ（ｌｏｎｇ  ｔｅｒｍ  ｅｖｏｌｕｔｉｏｎ）データパケットを受信するように構成された第１の受信モジュールであって、前記ユーザ装置は、進化型ノードＢ（ｅＮＢ）とのＲＲＣ（ｒａｄｉｏ  ｒｅｓｏｕｒｃｅ  ｃｏｎｔｒｏｌ）接続を確立する第１の受信モジュールと、
前記ｅＮＢに接続された無線ローカルエリアネットワーク終端（ＷＴ）によって送信された無線ローカルエリアネットワーク（ＷＬＡＮ）データパケットを受信するように構成された第２の受信モジュールであって、前記ＷＬＡＮデータパケットは、前記ＷＴのＭＡＣ（ｍｅｄｉｕｍ  ａｃｃｅｓｓ  ｃｏｎｔｒｏｌ）アドレスを含み、前記ＭＡＣアドレスに従って前記ＷＴに接続された無線ローカルエリアネットワークアクセスポイント（ＷＬＡＮ  ＡＰ）によって前記ＷＴに送信される第２の受信モジュールと、
前記ＬＴＥデータパケットおよび前記ＷＬＡＮデータパケットを集約するように構成された集約モジュールと、を備えるデータ集約装置。
【請求項１３】
ＲＲＣシグナリングを前記ユーザ装置に送信するように構成されたシグナリング送信モジュールであって、前記ＲＲＣシグナリングは前記ＷＴの前記ＭＡＣアドレスを備え、前記ユーザ装置は前記ＷＬＡＮデータパケットのＭＡＣヘッダ内のアドレス３を前記ＷＴの前記ＭＡＣアドレスとして設定するように構成され、前記アドレス３は前記ＷＬＡＮデータパケットの宛先アドレスを示すために使用され、前記ＭＡＣヘッダは８０２．１１データフレームのフレームヘッダフォーマットを採用する、シグナリング送信モジュールをさらに備える、請求項１２に記載の装置。
【請求項１４】
ユーザ装置（ＵＥ）であって、
プロセッサと、
プロセッサによって実行可能な命令を記憶するためのメモリと、を備え、
前記プロセッサは、
ＬＴＥネットワークを介してターゲット進化型ノードＢ（ｅＮＢ）にＬＴＥ（ｌｏｎｇ  ｔｅｒｍ  ｅｖｏｌｕｔｉｏｎ）データパケットを送信し、前記ターゲットｅＮＢは前記ユーザ装置とのＲＲＣ（ｒａｄｉｏ  ｒｅｓｏｕｒｃｅ  ｃｏｎｔｒｏｌ）接続を確立するｅＮＢであり、
無線ローカルエリアネットワーク（ＷＬＡＮ）データパケットを無線ローカルエリアネットワークアクセスポイント（ＷＬＡＮ  ＡＰ）に送信し、前記ＷＬＡＮデータパケットは前記ターゲットｅＮＢに接続されたターゲットＷＴのＭＡＣ（ｍｅｄｉｕｍ  ａｃｃｅｓｓ  ｃｏｎｔｒｏｌ）アドレスを含み、前記ＷＬＡＮ  ＡＰは前記ターゲットＷＴの前記ＭＡＣアドレスに従って前記ターゲットＷＴに前記ＷＬＡＮデータパケットを送信するように構成され、前記ターゲットＷＴは前記ターゲットｅＮＢに前記ＷＬＡＮデータパケットを送信するように構成され、前記ターゲットｅＮＢは前記ＬＴＥデータパケットおよび前記ＷＬＡＮデータパケットを集約するように構成される、ユーザ装置。
【請求項１５】
進化型ノードＢ（ｅＮＢ）であって、  
プロセッサと、
プロセッサによって実行可能な命令を記憶するためのメモリと、を備え、
前記プロセッサは、
ユーザ装置（ＵＥ）によってＬＴＥネットワークを介して送信されたＬＴＥ（ｌｏｎｇ  ｔｅｒｍ  ｅｖｏｌｕｔｉｏｎ）データパケットを受信し、前記ユーザ装置は、前記ｅＮＢとのＲＲＣ（ｒａｄｉｏ  ｒｅｓｏｕｒｃｅ  ｃｏｎｔｒｏｌ）接続を確立し、
前記ｅＮＢに接続された無線ローカルエリアネットワーク終端（ＷＴ）によって送信されたＷＬＡＮデータパケットを受信し、前記ＷＬＡＮデータパケットは、前記ＷＴのＭＡＣ（ｍｅｄｉｕｍ  ａｃｃｅｓｓ  ｃｏｎｔｒｏｌ）アドレスを含み、前記ＭＡＣアドレスに従って前記ＷＴに接続された無線ローカルエリアネットワークアクセスポイント（ＷＬＡＮ  ＡＰ）によって前記ＷＴに送信され、
前記ＬＴＥデータパケットおよび前記ＷＬＡＮデータパケットを集約するように構成される、進化型ノードＢ（ｅＮＢ）。
【手続補正２】
【補正対象書類名】明細書
【補正対象項目名】０００４
【補正方法】変更
【補正の内容】
【０００４】
本開示は、データ伝送システム、データ伝送方法、データ集約方法および装置を提供する。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１６
【補正方法】変更
【補正の内容】
【００１６】
前記方法は、ユーザ装置（ＵＥ）によって、ＬＴＥネットワークを介して、ＬＴＥデータパケットをターゲットｅＮＢに送信するステップを含み、ターゲットｅＮＢ  は、ユーザ装置とのＲＲＣ接続を確立するｅＮＢである。
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】削除
【補正の内容】
【手続補正１１】
【補正対象書類名】明細書
【補正対象項目名】００２１
【補正方法】削除
【補正の内容】
【手続補正１２】
【補正対象書類名】明細書
【補正対象項目名】００２２
【補正方法】削除
【補正の内容】
【手続補正１３】
【補正対象書類名】明細書
【補正対象項目名】００２３
【補正方法】削除
【補正の内容】
【手続補正１４】
【補正対象書類名】明細書
【補正対象項目名】００２４
【補正方法】削除
【補正の内容】
【手続補正１５】
【補正対象書類名】明細書
【補正対象項目名】００２９
【補正方法】削除
【補正の内容】
【手続補正１６】
【補正対象書類名】明細書
【補正対象項目名】００３０
【補正方法】削除
【補正の内容】
【手続補正１７】
【補正対象書類名】明細書
【補正対象項目名】００３４
【補正方法】削除
【補正の内容】
【手続補正１８】
【補正対象書類名】明細書
【補正対象項目名】００３５
【補正方法】削除
【補正の内容】
【手続補正１９】
【補正対象書類名】明細書
【補正対象項目名】００３６
【補正方法】削除
【補正の内容】
【手続補正２０】
【補正対象書類名】明細書
【補正対象項目名】００３７
【補正方法】削除
【補正の内容】
【手続補正２１】
【補正対象書類名】明細書
【補正対象項目名】００３８
【補正方法】削除
【補正の内容】
【手続補正２２】
【補正対象書類名】明細書
【補正対象項目名】００３９
【補正方法】削除
【補正の内容】
【手続補正２３】
【補正対象書類名】明細書
【補正対象項目名】００４４
【補正方法】削除
【補正の内容】
【手続補正２４】
【補正対象書類名】明細書
【補正対象項目名】００４５
【補正方法】削除
【補正の内容】
【手続補正２５】
【補正対象書類名】明細書
【補正対象項目名】００５０
【補正方法】変更
【補正の内容】
【００５０】
ＬＴＥネットワークを介してターゲットｅＮＢにＬＴＥ（ｌｏｎｇ  ｔｅｒｍ  ｅｖｏｌｕｔｉｏｎ）データパケットを送信し、ターゲットｅＮＢはユーザ装置とのＲＲＣ接続を確立するｅＮＢである。
【手続補正２６】
【補正対象書類名】明細書
【補正対象項目名】００５８
【補正方法】削除
【補正の内容】
【手続補正２７】
【補正対象書類名】明細書
【補正対象項目名】００５９
【補正方法】削除
【補正の内容】
【手続補正２８】
【補正対象書類名】明細書
【補正対象項目名】００６１
【補正方法】削除
【補正の内容】
【手続補正２９】
【補正対象書類名】明細書
【補正対象項目名】００８６
【補正方法】変更
【補正の内容】
【００８６】
図２は、例示的な実施形態によって提供されるｅＮＢ１１０の構造を示す概略図である。ｅＮＢ１１０は、プロセッサ２１と、メモリ２２と、送信機２３と、受信機２６とを備える。
【手続補正３０】
【補正対象書類名】明細書
【補正対象項目名】００９５
【補正方法】変更
【補正の内容】
【００９５】
図３は、例示的な実施形態によって提供されるユーザ装置１４０の構造の概略図を示す。ユーザ装置１４０は、プロセッサ３１と、メモリ３２と、受信機３３と、送信機３６とを備える。
【手続補正３１】
【補正対象書類名】明細書
【補正対象項目名】００９８
【補正方法】変更
【補正の内容】
【００９８】
メモリ３２は、ソフトウェアプログラムおよびユニットを記憶するように構成されてもよい。メモリ３２は、オペレーティングシステム３４と、少なくとも１つの機能に必要なアプリケーションプログラムユニット３５とを記憶することもできる。
【手続補正３２】
【補正対象書類名】明細書
【補正対象項目名】００９９
【補正方法】変更
【補正の内容】
【００９９】
アプリケーションプログラムユニット３５は、第１の送信ユニットおよび第２の送信ユニットを備えることができる。第１の送信ユニットは、ＬＴＥネットワークを介してＬＴＥデータパケットをターゲットｅＮＢに送信するように構成される。ターゲットｅＮＢは、ユーザ装置とのＲＲＣ接続を確立するｅＮＢである。第２の送信ユニットはＷＬＡＮ  ＡＰにＷＬＡＮデータパケットを送信するように構成され、ＷＬＡＮデータパケットはターゲットｅＮＢに接続されたターゲットＷＴのＭＡＣアドレスを含む。ＷＬＡＮ  ＡＰは、ターゲットＷＴのＭＡＣアドレスに従って、ＷＬＡＮデータパケットをターゲットＷＴに送信するように構成される。ターゲットＷＴは、ＷＬＡＮデータパケットをターゲットｅＮＢに送信するように構成される。ターゲットｅＮＢは、ＬＴＥデータパケットおよびＷＬＡＮデータパケットを集約するように構成される。
【手続補正３３】
【補正対象書類名】明細書
【補正対象項目名】０１０７
【補正方法】変更
【補正の内容】
【０１０７】
例えば、ユーザ装置１４１がｅＮＢ１１１とＲＲＣ接続を確立し、ｅＮＢ１１１にデータを送信する場合、データの一部はＬＴＥネットワークを介してｅＮＢ１１１に送信され、残りのデータはＷＬＡＮ  ＡＰ１３２に送信される。ＷＬＡＮ  ＡＰ  １３２はＷＴ  １２１、ＷＴ  １２２に同時に接続されているため、ＷＬＡＮ  ＡＰ  １３２は受け取ったデータを送信するＷＴを決定することができない。ＷＬＡＮ  ＡＰ  １３２がＷＴ  １２２にデータを送信した場合、ＷＴ  １２２はデータを受信し、それから受信したデータをｅＮＢ  １１２に送信することにより、ｅＮＢ  １１１はＬＴＥネットワークを通じてＵ１４１から送信されたデータのみを受け取ることができ、ＷＬＡＮネットワークを通じてユーザ装置  １４１から送られたデータを受け取ることができず、ｅＮＢ  １１１のデータの集約に影響を与える。
【手続補正３４】
【補正対象書類名】明細書
【補正対象項目名】０１３１
【補正方法】変更
【補正の内容】
【０１３１】
ステップ５０１において、ＬＴＥデータパケットはＬＴＥネットワークを介してターゲットｅＮＢに送信され、ターゲットｅＮＢはユーザ装置とのＲＲＣ接続を確立するｅＮＢである。
【手続補正３５】
【補正対象書類名】図面
【補正対象項目名】図５Ａ
【補正方法】変更
【補正の内容】
【図５Ａ】
2019520007.tif 000015
【手続補正３６】
【補正対象書類名】図面
【補正対象項目名】図５Ｂ
【補正方法】変更
【補正の内容】
【図５Ｂ】
2019520007.tif 000016
【国際調査報告】
2019520007.tif 000017
2019520007.tif 000018
2019520007.tif 000019
2019520007.tif 000020